(57)【特許請求の範囲】
【請求項１】
予め定められた外周および長さの容器のためのホルダであって、各々が該容器を中に保持することができる、１つまたは複数のバンドを備え、
各バンドには、分離し、独立した複数のストラップが設けられ、
各ストラップは、前記バンドの外周において互いに離れて、独立して、対向する位置に取り付けられ、前記位置から伸びており、
各ストラップは、締結具が端部に連結され、
該容器が、いかなるホスト装置、ベルト又はハーネス・システムへのその直接の、ユーザに対して、固定された、ユーザに水平である取り付けおよび取り外しを可能にするように該ホルダ内で保持され、
ユーザの重力に対する向き、または、ユーザの位置に関係なく、水平、横向き、または逆さまであっても、ユーザに対する固定された取り付け状態が変化することがなく、
前記ホルダの材料が、該ホルダ内で前記容器を保持するのに十分な圧力を提供するために半剛性であり、それによって該ホルダは該容器に対して圧力を維持する、ホルダ。
【請求項２】
複数の目のブラケットは、ホルダ・バンドの目のブラケットとつながる、ストラップを通す複数のストラップ・ボルトでつながり、それによって前記ホルダは、いかなるホスト装置、ベルト又はハーネス・システムへの直接の着脱が可能になる、請求項１のホルダ。
【請求項３】
各々が、複数の分離可能な構成要素を含む解放バックルとつながる複数のストラップを備え、それによって該解放バックルは、放される場合に前記締結具の相互連絡によりユーザとつながったままであり、該締結具はストラップの相互連絡により前記ホルダにとどまる、請求項１のホルダ。
【請求項４】
予め定められた外周および長さの容器のためのホルダであって、各々が該容器を中に保持することができる、１つまたは複数のバンドを備え、
各バンドには、分離し、独立した複数のストラップが設けられ、
各ストラップは、締結具が端部に連結され、
該容器が、いかなるホスト装置、ベルト又はハーネス・システムへのその直接の、固定された、ユーザに対して水平である取り付けおよび取り外しを可能にするように該ホルダ内で保持され、
ユーザの重力に対する向き、または、ユーザの位置に関係なく、水平、横向き、または逆さまであっても、ユーザに対する固定された取り付け状態が変化することがなく、
前記ホルダの材料が、該ホルダ内で前記容器を保持するのに十分な圧力を提供するために弾力的、合成的又は天然の生地のような材料であり、それによって該ホルダは該容器に対して圧力を維持する、ホルダ。
【請求項５】
前記ホルダ内で前記容器を保持する圧力を提供するために該ホルダを囲む１つまたは複数のバンドである保持材料を備える、請求項４のホルダ。
【請求項６】
前記バンドとつながる複数のストラップを備える、請求項５のホルダ。
【請求項７】
前記締結具と関連した前記ストラップの固定及び調整を提供するため、クロスバーにより分離した一連の空間を通すことによって、前記ストラップの各々が締結具と通じる、請求項６のホルダ。
【請求項８】
前記ストラップの各々が、複数の分離可能な構成要素で構成される解放バックルとつながる、請求項６のホルダ。
【請求項９】
一つの分離可能な構成要素がユーザとつながる締結具とつながる解放バックルを備える、請求項８のホルダ。
【請求項１０】
前記締結具が、直接の、固定された、ユーザに対して水平ないかなるホスト装置、ベルト又はハーネス・システムへの着脱を可能にする複数の構成要素で構成される、請求項１のホルダ。
【請求項１１】
第１の構成要素が前記ユーザへの前記締結具の取付けを提供する、請求項１０のホルダ。
【請求項１２】
第２の構成要素は、（ａ）複数の矩形の空間を含み、（ｂ）複数のクロスバー部材によって分離され、（ｃ）前記ストラップが前記締結具と関連して該ストラップを通じさせ、調整するため、該クロスバー部材の間および周辺で前記空間により貫通される、請求項１１のホルダ。
【請求項１３】
前記締結具が、開閉位置間を関節でつなぐ上部および下部のクラムシェルを有し、ストラップが、上部および下部のクラムシェルを貫通し、該ストラップは、開閉に関わらず、該クラムシェル内のその内部の位置を保持する、請求項１のホルダ。
【請求項１４】
上部および下部クラムシェルは、（ａ）閉じている時に前記締結具と関連して前記ストラップを制御し、（ｂ）開いている時に該ストラップを解放し、該クラムシェルと関連して該ストラップの内部の位置を保持する、予め定められた幅の予め定められた数の歯を含む、請求項１３のホルダ。
【発明の詳細な説明】
【技術分野】
【０００１】
関連出願の相互参照：本出願は、仮特許出願：２００８年８月１４日に出願の出願番号第６１／０８８,８９５号、２００９年４月１２日に出願の出願番号第６１／１６８,６０９号、２００９年４月２７日に出願の出願番号第６１／１７２,７９８号に対する利益を請求する：
連邦主催の調査：なし
連続リスト：なし
【０００２】
本発明は、容器の取付け、使用、輸送および配置のためのホルダアセンブリに関連するものである。
【背景技術】
【０００３】
本発明は一般に、簡単なアクセス、使用、輸送および配置のための容器のホルダに関連するものである。本発明は、種々様々の使用において図と共に説明される。実施態様の選択は、意図された使用によって決定付けられる。ここで記載される１つの例示の実施態様が追加の、代わりのまたは予備のガス供給装置の配置のためのスキューバダイバによる使用を示すが、スポーツ、レクリエーションおよび産業における多くの代替的な使用もまた、示される。本発明は、一般的ないくつかの態様：容器のためのホルダ、ホルダをユーザまたはホスト装置に取付けるための締結具、および、意図された使用によって必要とされる場合に、ユーザまたはホスト装置からのアセンブリの部分的なまたは完全な解放のための解放メカニズムを組み込む。
【０００４】
本発明の一実施態様は、水中のスキューバダイバのための安全装置としての使用である。単一のレギュレータは、圧縮された空気源に取付けられる単一の第１段階に連結される呼吸のための２つの第２段階レギュレータを有する「オクトパス」システムへと進化した。これにより、２つの安全な支援シナリオが可能になる。水中のダイバーは、二人以上の「仲間」のグループで飛び込むように訓練され、各々のダイバーはその他のダイバーの支援または支持体制をとる。ダイバーの自身の第２段階が機能しない場合、彼は彼自身の補助「ｏｃｔｏ」第２段階に切り替える。または、第２の（「弱った」）ダイバーのガス供給装置が機能しない場合、非常事態で彼は第１の（「安全な」）ダイバーのガス容器から呼吸する。ダイバーの安全性が改良されても、この配置は、苦しむダイバーが彼の仲間の視覚の範囲および泳げる距離内にいる必要がある。残念なことに、単一の呼吸で泳ぐことができる距離よりも仲間がさらに遠く離れてしまうことはまれでない。呼気の後で、次の息の前に、ガス機能不全が発生する可能性が半分もあり、ガスの第２の供給源にアクセスする能力をひどく限定してしまう。
【０００５】
この状況は、ガスを供給する安全なダイバーの側または背部に苦しむダイバーを配置する傾向がある現在の設計によってさらに複雑になる。これは、コミュニケーションが最も必要なまさにその瞬間に、二人のダイバー間の視覚的コミュニケーションを不可能でないにせよ、難しくしてしまう。苦しむダイバーがパニック状態になった場合、両方のダイバーの命が危険にさらされる。確かに、統計は安全なダイバーの追加の死亡を引き起こす苦しむダイバーによる恐ろしいほどの数の両者の水死を示している。
【０００６】
最も重要なことに、この装置／システム設計は完全には不要ではなく、第２段階の機能不全のみに適用される。機能不全が第１段階である場合または枯渇した場合、ガス供給装置、「オクトパス」配置は無益である。
【０００７】
容器ホルダの背景
米国特許第４，９４９，８８９号および米国特許出願第２００６／０１７５４９２号の両方は、ガス容器システムがダイバーによって使われる共通の方法を示す。各々は、直接ダイバーにではなく、ダイバーの一次ガス容器にガス容器を取付ける方法を示す。この設計またはそのいくつかの変種は、予備のガス供給装置を担持するダイバーによって使用される１つの方法である。残念なことに、これらの設計は、特に最も技術を有さず、経験および訓練を有さない：新しい、初心者または「臨時の」ダイバーによって、この重要な安全装置の産業にわたる導入を妨げる重大な欠陥を有する。
【０００８】
示されるシステムの設計の欠陥は、広範囲である。まず、システムの重量のすべてが背部に配置され、そこですでに担持される相当な重量を増すことになる。それが主な容器アセンブリの部分であるので、付加された重量は、装着して取り除くのがずっと困難である。あるいは、側部に取付けられた場合（主な容器の上に取付けられる代わりに）、重量の分配は軸を外れ、同様にすべての軸上でバランス／平衡がくずれる。軸を外れた重量により、ダイバーは潜る一方で側部に回転してしまう傾向がある。これによりダイバーは、彼の重量システム上での重量の分配を変えて補正する必要がある。安全なダイバーが苦しむダイバーに彼のガス容器を分散させる場合、不完全な重量分配は残ったままである。同様に、この設計による解決は、不規則な水における引きずりを生成する。ダイバーは、取付けられるシステムの有無にかかわらず、すべての不規則な状態（バランス、姿勢、引きずり）を異なって補正する必要がある。補正の失敗は、ダイバーの疲労および苦痛につながり、同時にダイバーの安全性および満足の減少にもつながる。
【０００９】
現在のシステムにおいて、ダイバーの苦痛はダイビングの前にも始まる。背部で実質的な追加の不規則な重量の釣合いをとる一方での、揺れるボートでの歩行または波を渡ることは危険を生じ、潜る前における疲労につながる。ダイビング終了後、同じ危険が疲労したダイバーを待つ。
【００１０】
これらの特許の設計の欠陥は、ダイビング全体に広がる。主な容器に取付けられるガス容器により、より長い第２段階のホースが、ダイバーの口へのすべての他の装備に届く必要がある。それは、空の主なガス容器に取付けられる機能しない「ｏｃｔｏ」と容易に混同される第３のレギュレータを示す。安全なダイバーによって共有される場合、十分なホースの長さを得るために、苦しむダイバーは安全なダイバーの側にまたは後ろに概して押される。ほとんどの場合、落ち着くことおよび安心することにとって重要なダイバー間の視覚コミュニケーションは困難であるまたは不可能である。苦しむダイバーが迅速な安全でない上昇を要求する場合、安全なダイバーが彼自身を切り離すための方法はない。彼のただ１つの選択は、彼のガス供給装置への苦しむダイバーのアクセスを終わらせるか、苦しむダイバーの安全でない迅速な上昇を試みることである。いずれの選択も、いずれかのダイバーにとって、または両方ともにとって致命的である可能性がある。どのダイバーも不十分な装置／システム設計のその副作用に面するべきではない。
【００１１】
これらの２つの基本的な設計にいくつかの代替案が作成された。相当な難易度にも関わらずガス容器が取り除かれる、米国特許第６，３６７，７５３号；米国特許第７，３４４，１１号；米国特許第５，５７９，９６７号；米国特許出願第２００６／０１７５４９２ Ａ１号；米国特許第５，２７１，３８７号；および米国特許第４，９４９，８８９号を参照のこと。また、取付け場所が背部でダイバーから見えない所でのメインタンクにあるので、装置を負うダイバーによって到達するのが非常に困難である。これは、緊急の状況において非常に問題がある。たとえ結局、取り除かれる場合であっても、それは適時ではないかもしれない。生死の境は、単に一秒の違いである可能性がある。引き出すのに成功しても、重量の交替および再分配の結果として、ダイバーのアンバランス／不完全な姿勢がまだ発生する。本請求項は、「スキューバの主な空気源タンク」に取付けられる第２の空気源の迅速な解放に限定される。この実施態様が、識別されたすべての安全の理由のために第２の空気源を取り除き、この場所は正確である。
【００１２】
米国特許第６，０７０，５７７号は代わりの解決法を示し、そこでガス容器は不変に主な容器に取付けられるが、各々の容器のためのガス供給装置を完全に不要にする（分離した第１および第２段階レギュレータ）配置である。これが設計の目的ａ）およびｂ）を解決する一方で、残りのｃ）からｈ）に対処しない。単一の空気充填特徴の提案されたコスト削減は、設計の問題ｃ）からｈ）に対処しないことによって終わってしまう生命のコストと比較するとごくわずかなものである。そして、この設計は、ガス容器サイズの簡単な現場での変化も、第２の予備のガスシステムの取込みも可能ではない。この特許の請求項は、ホルダまたはメインタンクに記載されるシステムを保持する方法を参照しない。
【００１３】
上記の前部に取付けるシステムと大して異ならず、米国特許第２，８４４，１４５号は、主なスキューバ・システムのための初期の設計を示す。反対向きのカメの甲羅のように、ハウジングは、前胴で担持される中央のレギュレータを有して「Ｕ」型の容器を含む（数千ポンドの内圧でガスを保持する場合、製造するのが非常に困難な形状である）。潜水装置それ自体がユニークである一方で、ホルダは、どのように装置が本体に取付けられるかに関するいかなる記載なしで、ドーナツ型のシェル以外には見えない。この特許のすべての３つの請求項は「空気補給装置」に限定され、装置の保持、取付け、運搬または配置のいかなる方法にも限定されない。
【００１４】
米国特許第６，６５１，６６０号「パラシュート・ジャンパーに呼吸ガスを供給する装置」は、ダイバーのガス容器のための代替的な場所を示す。ここでガス供給装置は片側のウエストに取付けられる、またはできる限り低く、大腿に締めつけられる。これが完全な垂直立向姿勢にあるパラシュート・ジャンパーの装置を使用する短い期間の間に適している一方、水中のダイバーは、長いダイビング期間の全体−１時間以上である−にわたって使用の準備をして装置が取付けられる。さらにダイバーは無駄に曲げられなければならず、片側に追加の引きずりまたは重量を有さず、それが、彼を疲労させるまたはダイバーの推進力の主たる供給源である脚の蹴りとひどく干渉するようなアンバランスを生成する。ホルダを参照する請求項は、パラシュート・ジャンパーによる使用に限定される。
【００１５】
同様に米国特許第２，３６６，４５５号は、飛行する一方で水に降りるパラシュートにも利用できる救命胴衣を担持しなければならないパイロットのための容器の取付けを示す。この装置配置が２つの可能な配置を示し、１つがウエストで取付けられ、膝より上の脚部のまわりの第２のストラップを有するもので、第２のものは、中間の大腿で懸下する容器での二点での取付けであるが、これらの装置のどちらも、１時間以上の推進のためにダイバーが脚部で蹴っている水平なまたは逆転した（頭が下の）立向姿勢において空気補給装置を含む水中での使用には適合できない。二点での取付けは、制御不可能にその位置を串刺しにする装置を有する。この設計は、迅速に移動するつもりである地面または水上に降りる前に空中において２、３分の立向姿勢における意図された使用に適している。この特許の請求項は、この装置の特許を「飛行機と組み合わせて」使われるのに適切であるように限定する。
【００１６】
米国特許第７，０８３，３６１号は、完全に一体化された浮力制御システムで主たるスキューバ・システムであるように設計されていて、緊急の状況において苦しむダイバーに完全に配置することができ安全なダイバーには完全に予備の第２のガス供給装置のためのホルダではない「浮力ベストを含む水中の空気補給装置」のための新規な設計を示す。実際、このシステムの主たる設計の欠陥の１つは、この設計で安全／ガス容器システムを使用する極端な難しさである。設計は、示すように、ウエストの高さで浮力装置の下端上に位置する単一の主たる容器を有する。それは、単一の分離できないユニットに組み合わせられる浮力制御ベストおよびガス容器を有する完全に一体化されたシステムである。この設計の意図された使用は、スキューバダイバのための主たるガス供給源システムである。このように、それは極めて制限的である。利用される容器のサイズは、スキューバダイバに慣習的に着用されるサイズのおよそ１／６である。したがって、水中の滞在の長さおよびダイバーが下降する深さは厳しく制限される。緊急時の二人のダイバーによる同時的な使用は、可能ではない。この主たるシステムのための予備のまたはバックアップのガス供給装置は、ダイバーの背部に位置する必要がある−その構成における固有の近づきにくさおよび安全性の減少のため、正確にこの実施態様がそれを取り除く意図を有するところである。「顧客に水中の呼吸経験」を提供するように設計されていて、その請求項は、一実施態様がすでに主たるガス供給源および浮力制御システムを担持するダイバーのための予備のガス供給装置の容器を保持することを含むように配置されるホルダではない。水中の空気補給装置としてのその請求項を越えて、それは、例えば液体の容器を担持するハイカー、バックパッカーまたはサイクリストのニーズのような他のいかなる目的にも役に立つことはできない。
【００１７】
米国特許第５，４２３，５８６号；第４，８０４，２１８号；および第４，５５６，２４５号はすべて、スキューバ容器をダイビングの現場へ／から陸に担持するための設計を示す。それらは、水平に重量を分配する方法を用いて、水平位置にこれらの容器を担持するのにとても容易であることを示す。これらの設計のいずれも、水中での使用を意図されない。それらは、普通サイズのスキューバ容器；概して８０立方フィートまたはより大きく、３５ポンドまたはそれ以上の重さである容器を陸で担持するための有益な使用を請求するものである。それらの全体の重量の分配をより広いバランス領域に広げることにより、それらをダイビングの現場またはボートまでの相当な距離を担持するのが容易になる。それらも、ハンドルを取り除き、他の目的のための手を自由にするように装置をユーザに取付けるのに対して、ハンドルの使用によって手元に装置を担持しているユーザに使用方法が限定されることを示す。
【００１８】
米国特許第４，７２３，８０１号は、乳児が飲む一方で、彼（女）の自身のボトルを保持するのを非常に容易にする哺乳瓶に取付けられる小さい単純な装置を示す。この設計が容器を保持する代替的な方法を示す一方、設計の請求項は、「乳児によって握持されることができて、さらにおしゃぶりの部材として使うことができるハンドル」に限定される。
【００１９】
Ａｋｏｎａは、スキューバ装備およびアクセサリを販売する会社である。彼らは、様々なサイズの単純なバッグを販売する。それは、標準サイズのガス容器が入るスリーブのような装置である。Ｖｅｌｃｒｏｚストラップが、容器をバッグ内に保つために上部で十字に交差する。それは、バッグから取付けることができて、ダイバーの側部につるすストラップである。これが他のダイバーへの容器の運搬を可能にする一方、それは、まだバランス、姿勢および重量での非対称の問題を生ずる。少なくとも三点でダイバーに取付けられず、それは重力と関連するダイバーの位置によってひどく揺れる。それはまた、第３のレギュレータおよびダイバー側から来ているホースによって導入される問題を修正することができない。それはレギュレータおよびそのホースアセンブリを制御し、じゃまにならないところに取付けてまたは安全に配置するためのあらゆる解決法をシステムの一部として提供するだけでなく、直ちにダイバーにとって利用しやすいものである。第２のガス容器システムは、追加の安全性の限界のために第１のシステムに取付けることができず、容器構成要素（レギュレータ、オン／オフ・バルブ、圧力計）は、多くの場合両手の使用を必要とする作業であるシステムを一時的に分離するおよび／または新しい見える場所へ動かさずには、すぐに確認することができない。
【００２０】
Ｚｅａｇｌｅは、スキューバ装備およびアクセサリを販売する会社である。彼らは、標準ガス容器／バルブ／内部の第１の段階、および、いかなる容器サイズ構成においても有用である標準の第２の段階「システム」である「Ｚｅａｇｌｅ Ａｉｒ Ｂｏｔｔｌｅ Ｓｙｓｔｅｍ」を販売する。設計され、広告されるように、「Ｍｅｓｈ Ｄｅｐｌｏｙ Ｂａｇ」は「６立方フィートのみ」の構成である。設計は、容器を内部に保つため一端の引き紐の囲い込みを有するバッグである。それは、単一の容器サイズのために設計される。それはホースを含むために単一のゴムバンドを有するが、バッグ・システムへのレギュレータ端部のための取付けは有さない。様々に位置する孔により、アセンブリは「プラスチック・タイまたはバレル・ネジで多くの位置に」配置され、ダイバーは、彼の主な容器または浮力制御装置に容器を取付けるいくつかの方法を発見する。容器配置は、全部のバッグを主たるダイバーに取付けたままにする。それは、直ちに苦しむダイバーによって使うことができない。Ａｋｏｎａのガスボトル・バッグと同様に、Ｚｅａｇｌｅの容器構成要素（レギュレータ、オン／オフ・バルブ、圧力計）は、多くの場合両手の使用を必要とする作業であるシステムを一時的に分離するおよび／または新しい見える場所へ動かさずには、すぐに確認することができない。
【００２１】
このシステムは、完全に予備の、着脱可能なシステムとしてのレギュレータでのガスボンベの取付け、動作および配置の決定的に設計された単一のシステムではない。それは、どのようにまたは何により追加の手段のピースまたは部分（ダイバー自身によって提供される）によりダイバーが有用な構成を発見するかを決定するプロセスへのダイバーの参加を必要とする未完成の選択にあるアクセサリである。
【００２２】
締結具を有する容器ホルダの概要
出願人の例のホルダを示す実施態様は、様々な環境条件下で機能する金属、プラスチック、炭素または合成物または他の適切な未知の材料を含むがこれに限らない適切な材料の広大な種類でできている。等しく適切な実施態様は、ユーザのニーズによって示されるのと主に同じであるすべての残りのバンド、ストラップ、取付けおよび締結具を有するシリンダ・ホルダまたはスリーブに成形される柔らかい、柔軟性のあるまたは生地のような材料でできている。各々の実施態様は、意図された使用によって示されるようにそれぞれの実施態様を利用するのに必要であるホルダ、および、ストラップ、バンド、および、締結具内でシリンダを固定する十分な強度および内圧抵抗を提供するいかなる適切な材料でもできている。
【００２３】
この実施態様は、完全に予備のガス供給装置およびレギュレータ・システムの取付け、使用および配置のためのホルダ・システムでこの安全性の欠陥を克服する方法を示す。
予備のガス供給装置およびホルダ・システムの設計の目的は；
ａ）ガスの非常事態を解決するのに十分な持続期間で、即時の緊急使用の準備ができている完全に予備のガス供給装置を取付けること；ｂ）安全なまたは苦しむダイバーのいずれかに使用されるように、すぐにかつ容易にシステムの配置を作成すること；ｃ）対面しての視覚でのコミュニケーションのためにダイバーを配置すること；ｄ）苦しむダイバーが緊急のガス供給装置とともに独立して上昇することができ、苦しむダイバーによって生じる不注意から安全なダイバーを自由にすること；ｅ）ダイビング経験の全体にわたって、非常事態ではなく、苦しむダイバーへの配置の後に取付けられるガス容器で、安全なダイバーは重量分配のいかなる変動なしで中立のバランスおよび姿勢のままであること；ｆ）現在の予備の／ガス容器システムと比較すると、利用されたホルダ・システムの重量分配は水中でおよび水の外での両方ともで釣り合うこと；ｇ）異なって標準化された容器サイズに対するホルダの適応性；および、ｈ）追加のガス容器の取付けのための適応性。
【００２４】
目的「ａ」は、ダイビング装備産業によって主に満たされてきた。標準レギュレータの取付けを可能にする６から１９立方フィート間（および若干大きい）の小さな圧縮されたガス容器は、市販されている。しかしながら、スポーツおよび娯楽のダイバーによるこれらの安全システムの導入および使用は、主に無視されてきた。この非採用の主な理由は設計の目的；ｂ）からｈ）のための解決法の不足である。世界中で大多数の水中のダイバーを含むスポーツおよび娯楽的なダイバーは、潜水に関連した死および負傷に関わる。その市場の大多数は、ほとんど経験を有さない。彼らは、普遍的に採用される場合、システムの単純性、使いやすさおよび信頼性を必要とする。
【００２５】
上記のｂ）からｈ）の目的にうまく対処して解決する容器ホルダ・システム設計の作成は、以下の様々な図示した実施態様の重要な安全性を生成する使用である。
【００２６】
即時の緊急使用の準備をして完全に予備のパラシュート・システムが「ダイバー」の前胴の上に位置するスカイダイバーと異ならず、この実施態様も同じである。
特徴１：固いまたは柔らかい材料でできているにせよホルダが、ユーザの前胴にわたって水平位置において容器を保持する。
特徴２：調節可能な締結具が、浮力制御装置および他のアクセサリと同様に慣習的に背部上のダイバーの主なガス供給装置を保持するダイバーのハーネスの最適な位置に取付けられる。これらの締結具は、水中でおよび水の外で主に容器ホルダ・システムの重量を保持する。
特徴３：ある形の迅速な解放バックルを使用する締結具の追加のセットが、ホルダからダイバーのウエストライン・ベルトまで取付けられる。これは、胴に対して容器ホルダ・システムを確実にして、いかなる方向；水平、横にまたは逆さでさえも；においてもその可動性を最小化する。
特徴４：ダイバーにガスを吸わせるため、レギュレータ・システムが、圧縮されたガス容器に取付けられる。非常事態の場合、ダイバーは安全な場所への上昇の間、ガスにアクセスするため、すぐにホルダ容器からレギュレータを取り除くことができる。苦しむダイバーがガスを必要とする場合、彼は前から直接に安全なダイバーに接近し、口にレギュレータを配置する。緊急の状況が安定したならば、両方のダイバーは一緒にまたは別々に浮上してもよい。
特徴５：安全なダイバーによって必要とされるまたは要求される場合、彼は完全な分離を遂行するため、苦しむダイバーへ完全にすべてのシステムを配置する。これは、彼の使用のためのレギュレータを苦しむダイバーにまず与えることによって達成され、そしてホルダとウエストライン・ベルトとの間のバックルの解放を分離し、そしてハーネスから上の締結具を分離する。その後ですべてのアセンブリは、迅速かつ容易にいかなるＤリングまたは苦しむダイバー上の適切な取付け点にも取付けられ、したがって分離を可能にし、手は自由になり安全に上昇する。
【００２７】
認識する限り、前に開発された装置は、上記のすべての設計パラメータへの完全な十分に設計された解決法を提供しない。容器ホルダは、単純で有効で、柔軟性があり、適応可能であり、同時に安全性および使いやすさが増加し、機能的な失敗の機会を減らす。
【００２８】
締結具の背景
すべての実施態様に共通の１つの設計の特徴は、特に非常事態における第２のユーザへのその簡単な配置と同様に、主たるユーザ上のすべてのシステムの迅速かつ容易な配置および調整である。この設計の目的は、順番にホルダをユーザに取付けるスナップ、フック、ボルト、クリップ、アジャスタ、スライド、滑走、リングまたはバックル、および、類似した目的の他の装置から来るストラップ、または、紐（ひも）材の取付けおよび調整の簡略化されたシステムにより達成される。
【００２９】
装備およびアクセサリを取付ける一般的な方法は、スナップ、フック、ボルト、クリップ、アジャスタ、スライド、滑走、リング、または、バックル、および、ストラップ、紐材またはハーネスのための他のアジャスタ［以下「スナップ装置」と呼ぶ］の使用によるものである。スナップ装置の例示的な使用は、いくつかの最も認識できる用途の状況を挙げると、ハイカーのためのバックパック、スキューバダイバのための浮力パック、および、重量ベルト、登山者のためのセーフティーハーネス、建設現場での労働者のためのツール・ハーネスを含む（しかしながら、これらに限定されない）。
【００３０】
スナップ装置の一般的な使用は、ロープ、ストラップまたは紐材を取付けること、または、例えばダイバーにスキューバ容器、ハイカーにバックパック、スカイダイバーにパラシュート、いかなるホスト装置ものユーザへのスナップ装置によりストラップまたは紐材が取付けられる必要がある他の目的と同様にカバーされるものに対する防水布のように、装備の一部をユーザまたは「ホスト装置」（ユーザ以外のいかなる装置または物体と定められる）に取付けることである。
【００３１】
スナップ装置の同じく一般的な使用は、例えばナイフ、ツール、フロート、照明、クリップボードなどの役立つアクセサリをユーザに取付けることである。ユーザがタスクを容易にする、または安全性および楽しみを増やすために担持する小さなアクセサリは、ホルダの主たる目的と同程度重要である。
【００３２】
スナップ装置アセンブリのこの代替的な使用は、ツール、アクセサリまたは装置のために必要とされる長さおよび取付けの安全レベルに関してユーザによるストラップの簡単な調整を必要とする。一般にこの機能のために使用される補助装置は、スライド・バックル、ストラップ・アジャスタまたは類似した装置（以下「アジャスタ」と呼ぶ）の使用を採用する。使用するアジャスタのタイプは、ストラップまたは紐材のサイズ、適応性および厚さ、および、どのくらい簡単に／迅速に装置が調整されなければならないか、または、不変に固定されるように作成されるかによって通常定められる。
【００３３】
使用するアジャスタのタイプに関係なく、ホスト装置に固着することになっている場合、ストラップはユーザのスナップ装置に取付けられなければならない。それは、この設計が使いやすさ、安全、耐久性、および、調整の永続性における固有の制限条件を有するスナップ装置へのストラップの取付けの位置である。
【００３４】
目的は、アクセサリ、ツールまたは装置と取付けられなければならないスナップ装置との間の「連結点」の数を減らすことである。ストラップをスナップ装置に固定するタスクを達成するために必要である連結点または追加の部分の数がより少ないと、失敗の可能性、配置の難易度が下がり、コストが下がる。
【００３５】
出願人の発明は、容器ホルダアセンブリをユーザに取付けるためのいくつかの代わり締結具の実施態様（以下に：締結具「Ａ」および締結具「Ｂ」と呼ぶ）を組み込む。各々の設計は、多数のニーズのセットに対処するため、設計の目的の異なる設定を組み込む。
【００３６】
締結具「Ａ」の背景
締結具「Ａ」は、ユーザの意図された目的に適していて、様々な環境条件下で作動することができるいかなる材料でも作成される様々な実施態様を示す。適切な材料は、スナップ装置のストラップ・アジャスタ要素内でストラップまたは紐材を固定するために十分な強度および摩擦を提供する。
【００３７】
このスナップ装置の設計は、一般にストラップがねじ止めされる単一の「目」を採用する。この「目」は、「Ｈ」型（上半分）の平面または矩形状であるよりは、一般に「Ｕ」型に成形される。単一の「Ｕ」形状の空間は「Ｕ」の底で紐材を集め、紐材の寿命を短くする圧力および摩耗の集中した位置を生成する。ウエブ摩耗および損傷を減らすため、ストラップがスナップ装置の目を通過する位置での負荷／圧力の分配は、ストラップの完全な作動表面の幅全体で均一に（平らに）されなければならない。
【００３８】
スナップ装置の目を形成する構造を含むストラップと材料との間の表面のサイズまたは連結の領域がより大きくなると、両方の構成要素（ストラップおよびスナップ装置）間の連結の強度が大きくなる。複数の表面（すなわち「複数の目」）の上の全体の作業負荷／圧力を分割することによって、各々の個々の領域上の圧力／ストレスを減らし、全体的な信頼性と、摩耗および損傷への抵抗とを増加させる。
【００３９】
簡単に言うと、一般に設計された「単一の目の」締結具は、「Ｕ」型の目の底の集中した領域で締結具に紐材を取付ける１００％の作業負荷を受ける。平坦な「複数の目の」のこの設計はストラップおよび目の全幅にわたって全体の作業負荷を分配するだけでなく、それは、複数の目の間の作業負荷をさらに分割する。一例として：３つの目は、各々の「目」間の「負荷」の三分の一を分配し、単一の目の締結具の「目」作業負荷の三分の二を減らす。貫通構成によって、複数の目の構成は、目によるストラップの複数の折り目を可能にすることができ、各々の個々の「目」への圧力を減らし、取付けの固定のために必要とされる摩擦領域を比例して増加させる。
【００４０】
出願人の例示的な実施態様は、スナップ装置ウエブを調整して固定するため、分離した装置の必要条件によってより複雑にされる「単一のＵ型の目」の設計において一般的な欠陥を克服する。一般的な配置はより困難であり、より確実に固定されていない。対照的に、この実施態様は、ストラップ・アジャスタがスナップ装置に完全に一体化される単一の組合せユニットを利用する。単一のユニットとして、この実施態様は：ａ）分解なしで、スナップ装置上へストラップの貫通を可能にする；ｂ）簡単な貫通後の調整を可能にする；ｃ）ハーネスが使用されている一方；ｄ）取付け／調整プロセスを完成させるために余分の分離したストラップ・アジャスタを取り除く。
【００４１】
ほとんどの締結具の設計は、エルンスト・ウォーカー（Ｅｒｎｅｓｔ Ｗａｌｋｅｒ）による米国特許第４９９，６１５号の変種である。これは、その延長部が「フック」に成形され、ロープまたはストラップが取付けられる下部の「目」の部分を含む「シャンク」から構成される。この特許は、目はまたシャンクで「旋回する」と述べている。米国特許出願第２００５／０１３８７８１  Ａ１号は、「検査部材が、作動部材を経て保持本体の開閉状態を提供するため、ボルト・スナップ保持本体の移動可能なボルトに位置している」ことで改善される。変形例は、リング（またはそれが取付けられたどんな装置でも）と関連してボルトを回転させることによって、シャンクの自動的な開きを可能にする。この特許は、ストラップまたはウエブへのスナップ装置の取付けの位置のいかなる部分にも対処しない。
【００４２】
特許番号第８７２，６９１号は、スナップ設計の「ストラップ」ベルトまたはウエブ取付け部分を参照しない特別に適応する腕時計で用いられる調節可能な旋回スナップである。同様に、特許番号第４，７３１，９１０号は、設計の「フック／スナップ／バックル」部分のための新規な設計を生成するが、ストラップまたはウエブを「フック機構」に取付ける元々のスライド設計に依存する。
【００４３】
特許番号第４，８９４，９４４号の「スナップリング・コネクタ」は、「コネクタ」を「ホスト装置」に連結するための新規な設計を提供するが、ストラップまたはウエブが他端に取付けられる方法には変わりはない。
【００４４】
米国特許第６，５３０，１３１  Ｂ１号は、様々な装置への取付けのためのトリガ・スナップおよびカラビナを使用するツール鎖装置である。それらの間にあるのは、結合装置として割りリングを使用するバネである。しかしながら、「コネクタ」がストラップまたは紐材を必要とする場合、新規な設計は、連結の新規な解決法を提供しない。ストラップが切断されず、必要とされる正確な長さに不変に縫われる場合、ストラップ・アジャスタはまだ必要とされる。
【００４５】
米国特許第Ｄ５７１，０５９ Ｓ号は、ドッグ・スナップと「リース」への取付け位置との間でショックアブソーバを設置する。また、分離したストラップ・アジャスタを用いずにスナップ装置へのストラップの直接の取付けおよび調整を可能にする設計の準備はない。
【００４６】
米国特許第５，８５２，９８８号は、複数の「ドッグ・リード」の取付けを可能にする旋回する目にある複数バネのスライド・ボルトの使用を示し、旋回する設計を用いて、リードはねじれなく、もつれない。しかしながらまた、リースが実際のバネのスライド・ボルトに取付けられる位置で、設計は、ストラップが不変にスライド・ボルトに縫われるという必要条件を示す。ここで、分離したストラップ・アジャスタを用いずにストラップの長さを調整する準備はない。
【００４７】
同様に、米国特許第４，８７９，９７２号は、スライド・ボルトへのストラップの永久的な、非調節可能な取付けを示す。防護システム特許第４，６３８，７６４号は、ストラップ調整を可能にするために不変にストラップに取付けられるが、例えばユーザによって着用される紐材またはハーネスのような「ホスト装置」に取付けるスナップ装置のいかなる準備も有さない、「Ｄリング」の使用を示す。
【００４８】
あるいは、「改良されたウエブ固定を有するバックル」と呼ばれる米国特許第４，５２５，９０１号は、「上方壁が成形された歯または鋸歯で形成され、角度をつけられるまたは斜めの壁が丸コーナで鋭角を形成している」非常に特別の構成の「二重の目」を示す。特許は、より樹脂成形に適していて、装置の「アジャスタ」部分が２つの目のみを組み込むという事実を補うために使用されなければならない「鋭角」および「歯」のために、金属での製造には問題がある特別の設計を組み込む。これは、装置上の圧力がプラスチック装置によって収容されるバックルのための適切な設計である。応力が金属を必要とするところで、はるかに少ない取付けの安全を提供する設計は、より問題があり、製造するのに高価であり、ずれやすい。「二重の目」は２つの「ウエブの折り目」のみを提供する。この設計によって必要とされる「歯」は、必ず紐材に切断されなければならないので過剰な摩耗を生成した。一方で出願人の複数の「３つまたはそれ以上の目」は製造しやすいだけでなく、「鋭角」または「歯」を必要とせず、容易に金属で作成され、各々の「クロスバー」によって見られる負荷を比例して順番に減らす４つまたはそれ以上の「ウエブの折り目」を可能にする。それはまた、すべての「鋭角」または「歯」を取り除く。第４，５２５，９０１号はウエブ・バックルであり、バネ・スナップ、フック、スライド・ボルトまたはいかなる代わりのスナップ装置を組み込むように設計されない。
【００４９】
米国特許第５，２１６，７８６号の「プラスチック・バックルおよび形成方法」は、ストラップを調整する機能を実行するプラスチックに限定されるが、またはスナップ装置、または類似した目的および設計の他の装置の準備も取込みもしない。
【００５０】
これらの設計テーマ上の多数の変種が存在するが、ストラップまたは紐材への取付けの際に、それらは、一般に同じカーブした「Ｕ」型の「単一の空間」の目を使用し、取付けの安全および調整を作成する能力を生成するため、分離したアジャスタ装置に依存する。出願人の実施態様は、より単純で、より強く、より信頼性が高く、実行するのがより容易で、製造業者にとってより費用効果的な単一の設計構成要素にすべての必要な要素を組み込む。
【００５１】
締結具「Ａ」の要約
出願人の例示的な実施態様は、類似した用途を意図する他の設計の多数の欠陥／制限を組織的に克服する多数の特徴を有する。様々な実施態様において図と共に説明されるように、優位性を示す実施態様はない。様々な実施態様は、種々様々の使用において示される。実施態様および製造される材料の選択は、意図された使用によって示される。
特徴１：スナップ装置の目はカーブせず、ストラップのための最も適切な作動形状に適合するために直線的である。これは、使用中にストラップ／紐材によって支えられる負荷が中心部に集中されるだけでなく、ストラップの全幅全体に均一に分配されることを意味する。これにより、ストラップ・ウェブ材の摩耗および張力を減らし、耐用寿命および信頼性が増加し、使いやすさおよび安全性が増加する。
特徴２：スナップ装置の複数の目は、好ましくは３つまたはそれ以上にも増やせるが、２つ以上である。ストラップとスナップ装置の目との間の接触表面の数およびサイズの増加は、平方センチメートル当たりの圧力を減少させる。この設計特徴は、材料の耐用寿命、信頼性および使いやすさを実質的に増加させる。
特徴３：複数の目は、スナップ装置自体の設計パラメータの範囲内でストラップ・アジャスタのすべての設計特徴を生成する。出願人による装置の設計へのアジャスタ構成要素の取込みにより使いやすさが単純化され、取付けの安全性が増加し、スナップ装置へのストラップの調整を安全にして可能にする装置を生成するのに必要な多くの追加の部分が減らされる。この特徴の正味の利益は、使いやすさおよび信頼性の増加である。
【００５２】
出願人の例示的な実施態様は、ストラップ・アジャスタの調整力でスナップ装置の特徴、適応性および安定性を提供する。認識する限り、前に開発された装置は、上記のすべての設計パラメータへの完全な十分に設計された解決法を提供しない。締結具「Ａ」は、単純で有効で、柔軟性があり、適応可能であり、同時に安全性および使いやすさが増加し、機能的な失敗の機会を減らす。
【００５３】
締結具「Ｂ」の背景
ハーネスまたは紐材への取付けの一般的な方法は、その上に締結具またはスナップ装置が取付けられる紐材から延長するＤリングの使用によるものである。プラスチックまたは金属からも作成され、Ｄリングは、設置するためにあるレベルのハーネスの分解を一般に必要とする。Ｄリングは、リングのプレートの開放端から一般に紐材によって貫かれる。ある例では、このＤリングのみの設置は、ハーネスおよびその他の取付け点を取り外して、再組立てするために多くの時間を必要とする。設置後または使用の間の調整性もまた、問題がある。
【００５４】
アクセサリの適当な配置がＤリングに取付けられるもの以外の解放システムを必要とする場合、一連の中間の接続装置および位置は一般に必要とされる。これは、横の解放または中心の解放バックルに短いウエブへの割りリング；または、それから所望の迅速な解放バックルに連結される締め索に連結される、割りリングまたはスライド・ボルト・タイプ・バックルを含む。リング、短い紐材そして解放バックルに連結されるカラビナは、他の選択である。これらは、非常に基本的なもの；装置、アクセサリまたはツールをハーネスに取付けることを達成するのに必要とされる複雑な解決法のすべてではないがいくつかの解決法である。
【００５５】
出願人の例示的な実施態様は、不必要な複雑性および使いやすさの欠陥を克服する。この実施態様は、単一の締結具を含み、その締結具は：ａ）分解なしで、ハーネス上のどこにでも容易に設置することができ；ｂ）簡単な調整および再配置を可能にするそれ自体の「迅速な解放」を有し；ｃ）ハーネスが使用されたままである一方で；ｄ）伝統的な取付けのための一体のＤリングを有し；ｅ）様々な締結具の直接の取付けを可能にする新しく生成された「Ｇリング」を有するが、これは；ｆ）「連結点」が他の設計によって一般に必要とした中間の紐材／リング／バックルを取り除くことによるものである。
【００５６】
締結具「Ｂ」は、標準のＤリングの設計の欠陥を克服する。まず、本発明はハーネスのいかなる分解なしでのＤリングの設置を提供する。それから、他のストラップまたは紐材の直接の取付けおよび調整に加えて、市販の締結具の広大な種類のハーネスへの同時的な直結のためのＧリングを加える。
【００５７】
締結具「Ｂ」は、意図された目的に適しているいかなる材料でも作成される。適切な材料は、装置の開閉、および、様々な環境条件の下で作動することができるように、強くほとんど堅固であるが十分な適応性を有する特性を提供する。
【００５８】
本発明に近いほとんどの設計は、ユーザのベルトへキーのリングを保持するための基本的な設計における変種である。それらは、キーを保持するリングが配置される第２のクリップまたは他の「Ｕ」型が続くユーザのベルトで適合する楕円形または逆さの「Ｕ」型のクリップで構成される。時に、「リング保持部」は、キーのリングの除去を防ぐラッチまたはカバーを有する。この概念は、米国特許第Ｎｏ ４，１１３，１５６号；米国特許第Ｄ４７９，９０７ Ｓ号により：様々な方法で例証される。
【００５９】
リングを保持することに等しく限定される他の従来の設計は、米国特許第２，７７５，８０４号；第１，２０６，０７４号；第Ｄ４１５，３４３号；第Ｄ５２３，２３７ Ｓ号；第Ｄ４６，０１９号、および、第Ｄ４７３，７１０号に記載のように、リングを保持するため、クリップ自体の折り畳まれた背部の金属材料を使用する。
【００６０】
この設計で残る問題は、それが、ベルト／紐材またはハーネスに取付けられるためにキーまたは他の装置が吊るされなければならない「リング」（通常割りリング）を取付けることに限定されるということである。すべての装置が、直ちに割りリングに取付けられるというわけではない。多くは、最後にベルト・クリップに取付けられる「リング」に取付けられる他の中間のいくつかの接続装置を必要とする。
【００６１】
このテーマの他の変種は、非常に特別なタスクのためのベルト・クリップ：例えば、携帯電話またはポケベルを取付ける「聴診器」を取付けるための米国特許第６，０６５，５６３号；「眼鏡ホルダ」を取付けるための第４，９４９，４３２号；「ガン・ホルスター」を取付けるための第４，６６７，３７４号；「ゴルフ用品」を取付けるための第４，６９９，３０３号；「コードレス電話」を取付けるための第４，７７１，９２７号；または「ツール・ベルト・ツール・トート」のための第６，０６２，４４９号；を含む。
【００６２】
ここで、制限条件は等しく明らかである。各々のベルト・クリップは、単一のタイプの（または限定された「モデル」または「作成」）装置を取付ける単一の機能のみを有する。すべての装置は、異なる設計のベルト・クリップを必要とする。これは、様々な装置をユーザに取付けるニーズへの非効率的かつ高価な解決法である。
【００６３】
材料の発展により、広大な種類のスナップ装置および他のタイプの締結具の作成が可能になった。これらの例は、米国特許第Ｄ４３４，９７１号「輪転式フック」；第Ｄ ３４８，３８５号「旋回スナップフック」；第Ｄ ３５４，４３３号「スナップフック」；第３４３，８６２号「スナップフック」；第Ｄ ４９６，２５１  Ｓ号「フック取付け装置」；米国特許第６，４６０，２３２  Ｂ２号「サイド解放バックル」；および、第５，７９１，０２６号「サイド解放バックル」である。膨大なＩＴＷ Ｎｅｘｕｓ ａｎｄ Ｗａｔｅｒｂｕｒｙのハードウェア・カタログを一読すると、設計の種類およびそれらが容易にさせるタスクが示されている。
【００６４】
これらの設計テーマの多くの変種は、ハーネス、ベルトまたは紐材への取付けの際になお存在し、それらは、ハーネスに最終的に取付けるために、例えば短い紐材、割りリング、スナップ装置および／またはカラビナのような中間の接続装置を一般に必要とする。
【００６５】
各々は、最も弱いものが「チェーン」全体の最大強度を決定する「連結」であるので、この配置は、高価かつ複雑で、失敗の傾向がある。
【００６６】
米国特許第５，３３３，３６１号「キーパークリップ」において例証されるように、このテーマにおける他の変種が存在する。ここで装置は、ベルト上にずれ落ちる装置の各々の片方をかみ合わせるためにねじられなければならない。この設計の明らかな弱点は、各々のねじれでの材料の疲労である。彼が材料をねじるにつれてのユーザの不快感は、この設計のもう１つの欠陥である。
【００６７】
装置のすべては、Ｄリング・アセンブリと比較して１つの利益を共有する。これは、分解されることなくベルトまたはハーネス上に設置することができることである。
【００６８】
しかしながら、すべての上記の（Ｄリングでない）設計で、重大な他の欠陥は残ったままである。ユーザによる動きで、クリップはハーネス上の１つの場所においてしっかりと固定されない。それらは、使用にしたがってベルトに沿って動く傾向があり、適所にしっかりとそれらを保持するためのさらに別の装置の使用を遠ざける。それらは、一斉に摺動するまたは外れさえして、ユーザを彼のアクセサリまたは装置から切り離してしまう。
【００６９】
締結具「Ｂ」の要約
締結具「Ｂ」は、類似した用途を意図する他の設計の設計欠陥／制限条件を体系的に克服する多数の設計の特徴を有する。
設置：すべての「Ｄリング」は、それらのホスト・ウエブ、ハーネスまたはベルトに取付けなければならない。一端からベルトへ供給されなければならない設計［多くの場合、分解および再組立て必要とする］とは異なり、本発明は「キー・リングホルダ」に類似しているが、重要な一連の特徴の差を有する方法で、ハーネスを通じて容易にずれ落ちる。
特徴１：締結具の内面は、ホスト材料を握持してハーネス／ベルト／ウエブに沿って装置の動きを制御する歯でベルト／ハーネス／ウエブと連結する。これは、取付けられたツールまたは装置が使いやすさおよび安全性の増加のために１つの場所において残ったままであることを意味する。
特徴２：適度な圧力で、締結具はハーネス上へ固着する。これは、使用される実施態様（「Ｂ１」または「Ｂ２」）にしたがって２つの方法の完成したものである。締結具「Ｂ１」は、後方にサムラッチ・リップを動かす「サムラッチ」を押し下げるユーザによって固定される。クラムシェルの上部および下部を開いて、紐材は歯間の締結具の側から貫通されても、サムラッチと上のクラムシェルとの間の空いた空間で供給されてもよい。紐材が適所にあると、上のクラムシェルは、サムラッチ・リップの下にしっかりとそれをすべり込ませるように十分に押し下げられる。
締結具「Ｂ２」は、２つの外側のフィンガーの上および中心の支柱の下で外側のフィンガーの連結点を通じて紐材を供給することによって、類似したタスクを達成する。中心の支柱の裏側上に位置する歯への紐材の上方への圧力は、ホスト・ウエブまたはユーザのベルトの全長で締結具の動きを最小化する。取り外しのためには、単に上記のステップを逆転させる。
特徴３：Ｂ１の実施態様を調整する、取り除くまたは再配置するために、ユーザは、紐材からクリップを解放する下方へ／後方への動作でサムラッチを単に押す。「サムラッチ」の設計は、同じ意図を有する、「キーパークリップ」（米国特許第５，３３３，３６１号）のそれより優れているが、より問題があり、ユーザを不快にし、材料の疲労およびより失敗する傾向がある。
締結具「Ｂ」の特徴１−３の組み合わせは、「ベルト・クリップ」の単純な設置および調整で、「Ｄリング」の特徴、用途および安定性を提供する。
特徴４：単純であるが、非常に有効な「Ｇリング」を設計に加える。クリップの開いた「ベルト」端部、その「サムラッチ」（Ｂ１）または外側のフィンガーの連結点（Ｂ２）を越えて位置して、Ｇリングは、「Ｄリング」を用いて、それをハーネスに固定するカラビナ、割りリングまたは他の接続装置のような補助締結具への中間の連結として紐材を使用するフック、ラッチ、スナップ装置、ストラップ・アジャスタ、締結具または他の装置のような適切に大きさを設定された補助締結具のための直接の自在の連結点として機能する。
「Ｇリング」は、紐材を用いずに、補助締結具の紐材側の直接の取付けを可能にする。これにより、Ｄリングに連結するのに伝統的に必要である中間の装置が取り除かれる。
特徴５：別途Ｄリングの使用を必要とする締結具とベルト／ハーネスとの間の中間の連結点および装置を取り除くことによって、本発明のＤリングの構成要素は、Ｄリングへの取付けのために最適に設計される装置のために目下利用できる。
特徴６：他の角度での標準ストラップ・アジャスタ、紐材の直接の取付けで、ホスト・ハーネスに直接連結され、まだ完全に調節可能である。前もって、紐材は、アジャスタ、それからＤリングに取付けられるクリップまたはスナップ装置を通じて供給される。締結具「Ｂ」は余分のスナップ装置を取り除き、それでも、調節可能な取付けのすべての利点を保持する。
簡単に言うと：締結具「Ｂ」の特徴４−６は、補助締結具をハーネスに連結するために一般に用いられる多数の連結点によって生成される複雑性、使用の難しさ、および、失敗のリスクの増加を取り除く。締結具「Ｂ」は、ハーネスに「補助締結具」の直結を容易にすることによってこれを達成する。それは、「Ｄリング」を経て最もよく取付けられる装置用に設計に組み込まれる「Ｄリング」を解く。
特徴７：「Ｇリング」および「Ｄリング」が同時に並んで使われ、利用できる取付け点の数を倍にして、一方で、効率的に利用される補助締結具の種類、範囲および呼吸を非常に増やす。
【００７０】
スキューバダイバによる使用の出願人の例示した実施態様において、容器ホルダの下部のストラップは、米国特許第４／５０４６４号、第４１７１５５５号のＩＴＷ、Ｎｅｘｕｓ Ｆａｓｔｅｘ ＳＲ−１サイド解放バックルの使用および直接の取付けにより締結具「Ｂ」に連結される。締結具「Ｂ」へのＳＲ−１の直接の取付けの組合せにより、実際に設計されるように単にＳＲ−１の側部を絞ることによって、その下部の連結点からのホルダの即時の解放が可能になる。
【００７１】
結論として、認識する限り、前に開発された装置は、上記のすべての設計パラメータへの完全な十分に設計された解決法を提供しない。その様々な実施態様における締結具「Ｂ」は、単純で有効で、柔軟性があり、適応可能であり、同時に安全性および使いやすさが増加し、機能的な失敗の機会を減らす。
【００７２】
締結具を有する容器ホルダの概要
出願人の一実施態様の例において、および、容器ホルダの各々の別の実施態様によると、締結具「Ａ」および「Ｂ」で、出願人は単純かつ安価で、使いやすい容器および／または他のアクセサリを取付け、使用して、配置するためのホルダおよび締結具の設計において飛躍的な改良を提供する。
【００７３】
出願人の一実施態様の例において、スキューバダイバが標準の安全システムおよび手順として、完全に予備の空気源を採用するのを思いとどませるすべての設計抑制を克服することによって、この出願人の実施態様は、ガス供給装置の安全性をバックアップする好適な方法として完全に予備の空気源を採用するための全スキューバダイビング産業の道をひらき、本質的に産業の安全性の記録を増加させ、潜在的に何百人もの命を救う。
【００７４】
さらに、容器ホルダおよび締結具の設計の実施態様は、様々な使用のために様々な位置において取付けられる様々なシリンダのサイズを可能にする。それは、ホルダの例示の実施態様の種類を使用して多数の操作上の設計の利益を可能にする。
【００７５】
この容器ホルダ・システムの代替的な使用は多い。その例は、本発明を用いてより大きい容器に大量である可能性がある飲料を持ち運ぶ必要があり、それに対して特にすでに背部にかなりの重量の荷物を担持しているハイカー、キャンパー、および、バックパッカーを含む。
【００７６】
高速で移動しているサイクリストは、アクセスするのに片手の使用を必要とする（もう片方の手は、方向およびバランスのための二輪車上にある）自転車または背部上にある管よりは、口に直接供給される管で、前胴全体で飲料を担持することによって発明から利益を得る。
【００７７】
現場で液体を施与する造園家などは、片手を必要な容器の担持に使い、もう片方の手を操作上のツールを持つことに対して、本発明を利用して両手が自由であると作業が捗る。
【００７８】
同様に、不規則に分配される軽量を担持するよりも、人間にとって均一に釣り合う重量（右／左、前／後）を担持することは、構造的により容易であることがよく理解される。
【００７９】
出願人の実施態様は、気体または液体を担持するにせよ、すべて重量負荷アンバランスの実質的な問題解決法を示す。
【００８０】
結論として、認識する限り、前に開発された装置は、上記のすべての設計パラメータへの完全な十分に設計された解決法を提供しない。出願人の容器ホルダ・システムは、単純で有効で、柔軟性があり、適応可能であり、同時に安全性および使いやすさが増加し、機能的な失敗の機会を減らす。
【先行技術文献】
【特許文献】
【００８１】
【特許文献１】米国特許第４，９４９，８８９号公報
【特許文献２】米国特許出願第２００６／０１７５４９２号公報
【特許文献３】米国特許第６，３６７，７５３号公報
【特許文献４】米国特許第７，３４４，１１  号公報
【特許文献５】米国特許第５，５７９，９６７号公報
【特許文献６】米国特許出願第２００６／０１７５４９２ Ａ１号公報
【特許文献７】米国特許第５，２７１，３８７号公報
【特許文献８】米国特許第４，９４９，８８９号公報
【特許文献９】米国特許第６，０７０，５７７号公報
【特許文献１０】米国特許第２，８４４，１４５号公報
【特許文献１１】米国特許第６，６５１，６６０号公報
【特許文献１２】米国特許第２，３６６，４５５号公報
【特許文献１３】米国特許第７，０８３，３６１号公報
【特許文献１４】米国特許第５，４２３，５８６号公報
【特許文献１５】米国特許第４，８０４，２１８号公報
【特許文献１６】米国特許第４，５５６，２４５号公報
【特許文献１７】米国特許第４，７２３，８０１号公報
【特許文献１８】米国特許第４９９，６１５号公報
【特許文献１９】米国特許出願第２００５／０１３８７８１  Ａ１号公報
【特許文献２０】米国特許第８７２，６９１号公報
【特許文献２１】米国特許第４，７３１，９１０号公報
【特許文献２２】米国特許第４，８９４，９４４号公報
【特許文献２３】米国特許第６，５３０，１３１  Ｂ１号公報
【特許文献２４】米国特許第Ｄ５７１，０５９ Ｓ号公報
【特許文献２５】米国特許第５，８５２，９８８号公報
【特許文献２６】米国特許第４，８７９，９７２号公報
【特許文献２７】米国特許第４，５２５，９０１号公報
【特許文献２８】米国特許第５，２１６，７８６号公報
【特許文献２９】米国特許第４，１１３，１５６号公報
【特許文献３０】米国特許第Ｄ４７９，９０７ Ｓ号公報
【特許文献３１】米国特許第２，７７５，８０４号公報
【特許文献３２】米国特許第１，２０６，０７４号公報
【特許文献３３】米国特許第Ｄ４１５，３４３号公報
【特許文献３４】米国特許第Ｄ５２３，２３７ Ｓ号公報
【特許文献３５】米国特許第Ｄ４６，０１９号公報
【特許文献３６】米国特許第Ｄ４７３７１０号公報
【特許文献３７】米国特許第６，０６５，５６３号公報
【特許文献３８】米国特許第４，９４９，４３２号公報
【特許文献３９】米国特許第４，６６７，３７４号公報
【特許文献４０】米国特許第４，６９９，３０３号公報
【特許文献４１】米国特許第４，７７１，９２７号公報
【特許文献４２】米国特許第６，０６２，４４９号公報
【特許文献４３】米国特許第Ｄ４３４，９７１号公報
【特許文献４４】米国特許第Ｄ ３４８，３８５号公報
【特許文献４５】米国特許第Ｄ ３５４，４３３号公報
【特許文献４６】米国特許第３４３，８６２号公報
【特許文献４７】米国特許第Ｄ ４９６，２５１  Ｓ号公報
【特許文献４８】米国特許第６，４６０，２３２  Ｂ２号公報
【特許文献４９】米国特許第５，７９１，０２６号公報
【特許文献５０】米国特許第５，３３３，３６１号公報
【図面の簡単な説明】
【００８２】
【図１Ａ】図１Ａは、容器を有する固いホルダの実施態様Ａ−ホルダ内に挿入される容器を有する容器ホルダの一実施態様を示す。
【図１Ｂ】図１Ｂは、容器のない固い実施態様Ａ−容器が取り除かれた図１Ａを示す。容器ホルダと容器とに挟まれた「内側のバンド」（３４）もまた示される。
【図１Ｃ】図１Ｃは、締結具「Ａ」（３６）および「Ｂ２」（３８）を有する固いホルダ実施態様Ａ（側面図）の図１Ａと同じ実施態様を示すが、締結具「Ｂ」（３８）の別の実施態様を有する。
【図１Ｄ】図１Ｄは、締結具「Ａ」（３６）および「Ｂ１」（３７）を有する固いホルダの実施態様Ａ（側面図）の図１Ａと同じ実施態様を示すが、締結具「Ｂ」（３８）の別の実施態様を有する。
【図１Ｅ】図１Ｅ（正面図）および図１Ｆ（背面図）は、締結具（３６および３７）および膨張切断部（４３）の方向によって示される配向で締結具「Ａ」および「Ｂ１」を有する図１Ａを示す。
【図１Ｆ】図１Ｅ（正面図）および図１Ｆ（背面図）は、締結具（３６および３７）および膨張切断部（４３）の方向によって示される配向で締結具「Ａ」および「Ｂ１」を有する図１Ａを示す。
【図１Ｇ】図１Ｇ（正面図）および図１Ｈ（背面図）は、締結具（３６および３８）および膨張切断部（４３）の方向によって示される配向で接続バーなしで、締結具「Ａ」および「Ｂ２」を有する図１Ａを示す。
【図１Ｈ】図１Ｇ（正面図）および図１Ｈ（背面図）は、締結具（３６および３８）および膨張切断部（４３）の方向によって示される配向で接続バーなしで、締結具「Ａ」および「Ｂ２」を有する図１Ａを示す。
【図２Ａ】図２Ａは、すべてのバンドおよび取付けが取り除かれた上方向からの固いホルダを示す。
【図２Ｂ】図２Ｂは、すべてのバンドおよび取付けが取り除かれた下方向からの固いホルダを示す。
【図２Ｃ】図２Ｃは、すべてのバンドおよび取付けが取り除かれた前面方向からの固いホルダを示す。
【図２Ｄ】図２Ａから２Ｄは、すべてのバンドおよび取付けが取り除かれた側面方向からの固いホルダを示す。
【図２Ｅ】図２Ｅは、接続バーが除かれた固いホルダの別の実施態様を示す。
【図３Ａ】図３Ａから３Ｂは、すべての取付けが取り除かれたホルダの固いホルダの等角図を示す。「拡張スロット」（４３）を有する側は、装置の裏面である。
【図３Ｂ】図３Ａから３Ｂは、すべての取付けが取り除かれたホルダの固いホルダの等角図を示す。「拡張スロット」（４３）を有する側は、装置の裏面である。
【図４Ａ】図４Ａは、締結具「Ａ」（３６）、ストラップ・ボルト（４０）および目のブラケット（３１）の連結点による締結具ストラップ（３５）の貫通の詳細を示す。
【図４Ｂ】図４Ｂから４Ｃは、それぞれ順番に容器ホルダに取付けられる解放バックル（３９）に取付けられる締結具「Ｂ１」（３７）および「Ｂ２」（３８）を有するそれぞれ固いホルダの実施態様「Ａ」および「Ｂ」を示す。
【図４Ｃ】図４Ｂから４Ｃは、それぞれ順番に容器ホルダに取付けられる解放バックル（３９）に取付けられる締結具「Ｂ１」（３７）および「Ｂ２」（３８）を有するそれぞれ固いホルダの実施態様「Ａ」および「Ｂ」を示す。
【図５Ａ】図５Ａは、貫通部（３６）締結具ストラップ（３５）を貫く締結具「Ａ」（３６）の詳細、および、固いホルダの目のブラケット（３１）内でのストラップ・ボルト（４０）に対するその取付けを示す。また示されるのは、ストラップ・ボルト開放ヘッド（４１）、ナット（４２）、ホルダのそれぞれ外側および内側に沿って動く外側の保持バンド（３３）および内側の保持バンド（３４）である。
【図５Ｂ】図５Ｂから５Ｃは、それぞれ締結具「Ｂ１」（３７）および「Ｂ２」（３８）に取付けられる解放バックル（４６）の雌側に挿入される解放バックル（４５）の雄側に貫く締結具ストラップ（３５）の詳細を示す。
【図５Ｃ】図５Ｂから５Ｃは、それぞれ締結具「Ｂ１」（３７）および「Ｂ２」（３８）に取付けられる解放バックル（４６）の雌側に挿入される解放バックル（４５）の雄側に貫く締結具ストラップ（３５）の詳細を示す。
【図６Ａ】図６Ａから６Ｃは、一端で開いた上部（４１）と対向する端部で貫かれるナット（４２）とを有するストラップ・ボルト（４０）周辺での締結具ストラップ（３５）の貫通を示す。
【図６Ｂ】図６Ａから６Ｃは、一端で開いた上部（４１）と対向する端部で貫かれるナット（４２）とを有するストラップ・ボルト（４０）周辺での締結具ストラップ（３５）の貫通を示す。
【図６Ｃ】図６Ａから６Ｃは、一端で開いた上部（４１）と対向する端部で貫かれるナット（４２）とを有するストラップ・ボルト（４０）周辺での締結具ストラップ（３５）の貫通を示す。
【図７Ａ】図７Ａは、解放バックルの分解等角図を示す。
【図７Ｂ】図７Ｂは、雄側が雌側に挿入される解放バックルの側面を示す。
【図７Ｃ】図７Ｃは、雄側が雌側に挿入される解放バックルの上面を示す。
【図７Ｄ】図７Ｄは、解放バックルの分解等角図を示す。
【図７Ｅ】図７Ｅは、雄側が雌側から取り除かれた解放バックルの側面を示す。
【図７Ｆ】図７Ｆは、雄側が雌側から取り除かれた解放バックルの上面を示す。
【図８Ａ】図８Ａおよび８Ｂは、別の実施態様（ＢおよびＣ）のホルダを示す。
【図８Ｂ】図８Ａおよび８Ｂは、別の実施態様（ＢおよびＣ）のホルダを示す。
【図９Ａ】図９Ａは、ホルダが可撓性の材料および／または生地によって生成されることを除いて、実施態様「Ａ」（図１Ａ）と同じ締結具を使用する「柔らかいホルダ」としての実施態様「Ｄ」を示す。
【図１０Ａ】図１０Ａは、ホルダ／スリーブ内に挿入される容器を有する実施態様「Ｄ」を示す。
【図１０Ｂ】図１０Ｂは、ホルダ／スリーブ内に挿入される容器を有さない実施態様「Ｄ」を示す。
【図１０Ｃ】図１０Ｃおよび１０Ｄは、外側の保持バンド（３３）を有さないこと以外は実施態様「Ｄ」と同じである実施態様「Ｅ」を示す。
【図１０Ｄ】図１０Ｃおよび１０Ｄは、外側の保持バンド（３３）を有さないこと以外は実施態様「Ｄ」と同じである実施態様「Ｅ」を示す。
【図１０Ｅ】図１０Ｅおよび１０Ｆは、実施態様「Ｄ」と同じの容器（１０Ｅ）および外側の保持バンド（３３）を有するが、スリーブ（図１０Ｆ）を有さない実施態様「Ｆ」を示す。
【図１０Ｆ】図１０Ｅおよび１０Ｆは、実施態様「Ｄ」と同じの容器（１０Ｅ）および外側の保持バンド（３３）を有するが、スリーブ（図１０Ｆ）を有さない実施態様「Ｆ」を示す。
【図１０Ｇ】図１０Ｇおよび１０Ｈは、外側の保持バンドを有さない以外は実施態様「Ｆ」と同じである実施態様「Ｇ」を示す。
【図１０Ｈ】図１０Ｇおよび１０Ｈは、外側の保持バンドを有さない以外は実施態様「Ｆ」と同じである実施態様「Ｇ」を示す。
【図１０Ｉ】図１０Ｉ、１０Ｊ、１０Ｋおよび１０Ｌは、締結具ストラップ（３５）間で「コネクタ・バンド」（４８）の介在を有する以外は図１０Ｅ、Ｆ、ＧおよびＨに類似した構成の実施態様を示す。
【図１０Ｊ】図１０Ｉ、１０Ｊ、１０Ｋおよび１０Ｌは、締結具ストラップ（３５）間で「コネクタ・バンド」（４８）の介在を有する以外は図１０Ｅ、Ｆ、ＧおよびＨに類似した構成の実施態様を示す。
【図１０Ｋ】図１０Ｉ、１０Ｊ、１０Ｋおよび１０Ｌは、締結具ストラップ（３５）間で「コネクタ・バンド」（４８）の介在を有する以外は図１０Ｅ、Ｆ、ＧおよびＨに類似した構成の実施態様を示す。
【図１０Ｌ】図１０Ｉ、１０Ｊ、１０Ｋおよび１０Ｌは、締結具ストラップ（３５）間で「コネクタ・バンド」（４８）の介在を有する以外は図１０Ｅ、Ｆ、ＧおよびＨに類似した構成の実施態様を示す。
【図１１Ａ】図１１Ａは、上部から見た、「接続バー」（４８）が含まれる、および／または、外側の保持バンド（３３）が含まれるいくつかの追加の代替実施態様を含む。
【図１１Ｂ】図１１Ｂは、上部から見た、「接続バー」（４８）が除外される、および／または、外側の保持バンド（３３）が含まれるいくつかの追加の代替実施態様を含む。
【図１１Ｃ】図１１Ｃは、上部から見た、「接続バー」（４８）が含まれる、または除外されるいくつかの追加の代替実施態様を含む。
【図１１Ｄ】図１１Ａから１１Ｄは、上部から見た、「接続バー」（４８）が除外される、または除外されるいくつかの追加の代替実施態様を含む。
【図１２Ａ】図１２Ａから１２Ｃは、クロスバー（５５）が回転するように形成され、上の構成要素（５１）と下の構成要素のストラップ・アジャスタ（５３）との間の関節（５２）の位置は回転性である締結具「Ａ」の一実施態様を示す。
【図１２Ｂ】図１２Ａから１２Ｃは、クロスバー（５５）が回転するように形成され、上の構成要素（５１）と下の構成要素のストラップ・アジャスタ（５３）との間の関節（５２）の位置は回転性である締結具「Ａ」の一実施態様を示す。
【図１２Ｃ】図１２Ａから１２Ｃは、クロスバー（５５）が回転するように形成され、上の構成要素（５１）と下の構成要素のストラップ・アジャスタ（５３）との間の関節（５２）の位置は回転性である締結具「Ａ」の一実施態様を示す。
【図１２Ｄ】図１２Ｄは、クロスバー（５５）が矩形に形成される締結具「Ａ」の代替実施態様を示す。
【図１２Ｅ】図１２Ｅは、クロスバー（５５）が矩形に形成される締結具「Ａ」の代替実施態様を示す。
【図１２Ｆ】図１２Ｆは、クロスバー（５５）が矩形に形成される締結具「Ａ」の代替実施態様を示す。
【図１３Ａ】図１３Ａは、上の構成要素（５１）は、いかなる種類のスナップ装置、ボルト、バックルまたはフックであってもよく、関節（５２）の点で、下の構成要素のストラップ・アジャスタ（５３）は回転性である追加の代替実施態様の例を示す。
【図１３Ｂ】図１３Ｂは、上の構成要素（５１）は、いかなる種類のスナップ装置、ボルト、バックルまたはフックであってもよく、関節（５２）の点で、下の構成要素のストラップ・アジャスタ（５３）は回転性である追加の代替実施態様の例を示す。
【図１３Ｃ】図１３Ｃは、上の構成要素（５１）は、いかなる種類のスナップ装置、ボルト、バックルまたはフックであってもよく、関節（５２）の点で、下の構成要素のストラップ・アジャスタ（５３）は固定される追加の代替実施態様の例を示す。
【図１３Ｄ】図１３Ｄは、上の構成要素（５１）は、いかなる種類のスナップ装置、ボルト、バックルまたはフックであってもよく、関節（５２）の点で、下の構成要素のストラップ・アジャスタ（５３）は回転性である追加の代替実施態様の例を示す。
【図１３Ｅ】図１３Ｅは、上の構成要素（５１）は、いかなる種類のスナップ装置、ボルト、バックルまたはフックであってもよく、関節（５２）の点で、下の構成要素のストラップ・アジャスタ（５３）は回転性である追加の代替実施態様の例を示す。
【図１３Ｆ】図１３Ｆは、上の構成要素（５１）は、いかなる種類のスナップ装置、ボルト、バックルまたはフックであってもよく、関節（５２）の点で、下の構成要素のストラップ・アジャスタ（５３）は回転性である追加の代替実施態様の例を示す。
【図１３Ｇ】図１３Ｇは、上の構成要素（５１）は、いかなる種類のスナップ装置、ボルト、バックルまたはフックであってもよく、関節（５２）の点で、下の構成要素のストラップ・アジャスタ（５３）は揺れていてもよい追加の代替実施態様の例を示す。
【図１４Ａ】図１４Ａおよび１４Ｂは、それぞれ開閉位置の締結具Ｂ１の一実施態様を示す。
【図１４Ｂ】図１４Ａおよび１４Ｂは、それぞれ開閉位置の締結具Ｂ１の一実施態様を示す。
【図１４Ｃ】図１４Ｃから１４Ｆは、等角図の締結具Ｂ１を示す。
【図１４Ｄ】図１４Ｃから１４Ｆは、等角図の締結具Ｂ１を示す。
【図１４Ｅ】図１４Ｃから１４Ｆは、等角図の締結具Ｂ１を示す。
【図１４Ｆ】図１４Ｃから１４Ｆは、等角図の締結具Ｂ１を示す。
【図１５Ａ】図１５Ａは、側からの代替の締結具Ｂ２を示す。
【図１５Ｂ】図１５Ｂは、下からの代替の締結具Ｂ２を示す。
【図１５Ｃ】図１５Ｃは、上からの代替の締結具Ｂ２を示す。
【図１５Ｄ】図１５Ｄは、等角図の締結具Ｂ２を示す。
【図１５Ｅ】図１５Ｅは、等角図の締結具Ｂ２を示す。
【図１５Ｆ】図１５Ｆは、等角図の締結具Ｂ２を示す。
【図１５Ｇ】図１５Ｇは、等角図の締結具Ｂ２を示す。
【図１６Ａ】図１６Ａから１６Ｅは、様々なスナップ装置、ストラップ・アジャスタおよびバックルが、中間の紐材の使用によるよりもＢ２締結具に直接取付けられる代替実施態様の締結具Ｂ２を示す。
【図１６Ｂ】図１６Ａから１６Ｅは、様々なスナップ装置、ストラップ・アジャスタおよびバックルが、中間の紐材の使用によるよりもＢ２締結具に直接取付けられる代替実施態様の締結具Ｂ２を示す。
【図１６Ｃ】図１６Ａから１６Ｅは、様々なスナップ装置、ストラップ・アジャスタおよびバックルが、中間の紐材の使用によるよりもＢ２締結具に直接取付けられる代替実施態様の締結具Ｂ２を示す。
【図１６Ｄ】図１６Ａから１６Ｅは、様々なスナップ装置、ストラップ・アジャスタおよびバックルが、中間の紐材の使用によるよりもＢ２締結具に直接取付けられる代替実施態様の締結具Ｂ２を示す。
【図１６Ｅ】図１６Ａから１６Ｅは、様々なスナップ装置、ストラップ・アジャスタおよびバックルが、中間の紐材の使用によるよりもＢ２締結具に直接取付けられる代替実施態様の締結具Ｂ２を示す。
【図１７Ａ】図１７Ａは、様々なボルト、スナップ、フック、バックル、および、ストラップ・アジャスタおよびバックルが、中間の紐材の使用によるより直接Ｂ２締結具に取付けられる代替実施態様の締結具Ｂ２を示す。
【図１７Ｂ】図１７Ｂは、様々なボルト、スナップ、フック、バックル、および、ストラップ・アジャスタおよびバックルが、中間の紐材の使用によるより直接Ｂ２締結具に取付けられる代替実施態様の締結具Ｂ２を示す。
【図１７Ｃ】図１７Ｃは、様々なボルト、スナップ、フック、バックル、および、ストラップ・アジャスタおよびバックルが、中間の紐材の使用によるより直接Ｂ２締結具に取付けられる代替実施態様の締結具Ｂ２を示す。
【図１７Ｄ】図１７Ｄは、様々なボルト、スナップ、フック、バックル、および、ストラップ・アジャスタおよびバックルが、中間の紐材の使用によるより直接Ｂ２締結具に取付けられる代替実施態様の締結具Ｂ２を示す。
【図１７Ｅ】図１７Ｅは、様々なボルト、スナップ、フック、バックル、および、ストラップ・アジャスタおよびバックルが、中間の紐材の使用によるより直接Ｂ２締結具に取付けられる代替実施態様の締結具Ｂ２を示す。
【図１８Ａ】図１８Ａは、Ｇリング（６２）のない締結具Ｂ１の代替実施態様である。
【図１８Ｂ】図１８Ｂは、Ｄリング（６１）のない締結具Ｂ１の代替実施態様である。
【図１８Ｃ】図１８Ｃは、Ｇリング（６２）のない締結具Ｂ２の代替実施態様である。
【図１８Ｄ】図１８Ｄは、Ｄリング（６１）のない締結具Ｂ２の代替実施態様である。
【００８３】
図１Ａは、容器を有する固いホルダの実施態様Ａーホルダ内に挿入される容器を有する容器ホルダの一実施態様を示す。締結具「Ａ」（３６）および、「Ｂ」（３７、３８）の複数の取付けが容器ホルダ（３１）に対して作成され、そこで締結具「Ａ」（３６）はホルダから離れて延長し、締結具「Ｂ」（３７、３８）は反対方向において延長するが、対向する締結具「Ａ」（３６）の側において容器ホルダに同様に取付けられる。締結具ストラップ（３５）は、ストラップ・ボルト開放ヘッド（４１）およびストラップ・ボルト・ナット（４２）によって適所に保持されるホルダ・バンドの目のブラケット（３１）によって供給されるストラップ・ボルト（４０）に締結具「Ａ」（３６）を貫通して連結する。締結具「Ｂ」（３８）の選択された実施態様は、解放バックル（３９）の雌側に直接取付けられる。前記バックルの雄側は、容器ホルダの締結具ストラップ（３５）と、ストラップ・ボルト（４０）と、開放ヘッド（４１）およびナット（４２）と、目のブラケット（３１）とにより連結される。すべての締結具は、その意図された目的のためにホルダ内に容器を保持するシステムを一緒に含む。ホルダは、接続バー（４４）によって切り離されるリングで構成される。容器を包むリングは、膨張切断部（４３）を使用しても使用しなくてもよい。容器は、ホルダと容器との間の摩擦によって適所に保持される。使用される摩擦の程度は、ホルダおよび容器が作成される材料によって部分的に決定される。摩擦の程度を高めるため、適切な材料の内側のバンド（４３）は、容器とホルダとの間に挟まれる。容器に対するホルダの内圧を加えるため、適切な材料の追加のバンド（３３）は、ホルダの外側に使用される。
図８Ａおよび８Ｂは、別の実施態様（ＢおよびＣ）のホルダを示す。図８Ａは、外側の保持バンド（３３）および内側の保持バンド（３４）を組み込む実施態様を示す。実施態様「Ｃ」（図８Ｂ）は、外側の保持バンド（３３）を有するが、内側の保持バンドは除かれたホルダを示す。この代替実施態様は、両方とも使用する材料の製品としてのホルダと容器との間の摩擦の程度が意図した目的に適している状況において利用される。
図９Ａは、ホルダが可撓性の材料および／または生地によって生成されることを除いて、実施態様「Ａ」（図１Ａ）と同じ締結具を使用する「柔らかいホルダ」としての実施態様「Ｄ」を示す。この図は、安定したストラップ（３５）がその周りに取付けられるいかなる適切な材料でも作成される可撓性のスリーブ（４７）を示す。外側の保持バンド（３３）は、保持ストラップ（３５）に平行したいかなる適切な位置でもスリーブを囲む。続く図９から１１のものと同様にこの実施態様は、全体的な重量が考慮され、可能な限り軽い構成が要求される、または、容器が締結具ストリップの場所が容器の前記寸法および重心によって決定される予め定められた長さおよびサイズであるような使用により適している。
図１０Ｇおよび１０Ｈは、外側の保持バンドを有さない以外は実施態様「Ｆ」と同じである実施態様「Ｇ」を示す。これは、目的が、適度な容器重量を支持するために十分に強く、可撓性のある締結具ストラップの材料を用いて可能な限り軽く経済的な構成である場合に適切である。
図１１Ａから１１Ｄは、上部から見た、「接続バー」（４８）が含まれる（図１１ＡおよびＣ）および、除外される（図１１ＢおよびＤ）、および／または、外側の保持バンド（３３）が含まれる（図１１ＡおよびＢ）または除外される（図１１ＤおよびＤ）いくつかの追加の代替実施態様を含む。
図１３Ａから１３Ｇは、上の構成要素（５１）は、いかなる種類のスナップ装置、ボルト、バックルまたはフックであってもよく、関節（５２）の点で、下の構成要素のストラップ・アジャスタ（５３）は回転性である（図１３Ａ、Ｂ、Ｄ、ＥおよびＦ）、または、固定される（図１３Ｃ）または、それは揺れて（図１３Ｇ）いてもよい追加の代替実施態様の例を示す。前記代替実施態様は、上の構成要素（５１）に対する下の構成要素のストラップ・アジャスタ（５３）の用途における制限条件として示されないが、構成要素間の関節のタイプと同様に上下の構成要素の組合せの種類の例として実現することができる。
図１５Ａから１５Ｃは、それぞれ側、下および上からの代替の締結具Ｂ２を示す。「Ｄリング」（６１）および「Ｇリング」（６２）の関係および目的は、上の図１４ＡからＦと同一である。代替実施態様は、装置により紐材に圧力を生成する修正された方法を組み込む。この実施態様において、紐材はまた、代替の手段によって「貫通」される。紐材の挿入の１つの方法は、「中心支柱」（８０）の下で延長する「外側のフィンガー」（８１）の上部の側からそれを貫くことであり、対向する「外側のフィンガー（８１）」の上部を通じて延長するように対向する側に現れる。あるいは、紐材は、各々の外側のフィンガー（８１）と「Ｇリング」（６２）との間の空間である外側のフィンガー挿入位置（８３）を通じて挿入される。張力が紐材を引くと、「中心支柱」（８０）の下側に対して押圧し、そこで小さな歯の列は締結具に関して紐材の動きを最小化する。
【発明を実施するための形態】
【００８４】
［図１Ａから８Ｂ］
以下の説明において、特定の語が簡潔さ、明確さ、および、理解のために使われるが、そのような単語がここで記載の目的のために使われ、広く解釈される意図を有するので、不必要な制限条件は、従来の技術の必要条件を越えてそこからは示されない。さらに、ここで示されて記載されるシステムの実施態様はほんの一例であって、および、本発明の範囲は、構造および使用の正確な詳細には限定されない。他の多くの変種は、様々な実施態様の教示によって可能である。
図１４Ａおよび１４Ｂは、それぞれ開閉位置の締結具Ｂ１の一実施態様を示す。締結具「Ｂ」が取付けられる紐材はいずれの方向から貫通されてもよい、すなわち；一方で装置は、図１４Ａに示されるように開いた位置にある。前記紐材は、クラムシェル（７２および７３）の上および下半分の間で直接通過して側部から貫通される。あるいは、クラムシェル連結点（７６）で上のクラムシェル（７２）とサムラッチとの（６８）間の空間を通じて貫通されてもよい。図１４Ａおよび１４Ｂの両方は、アーチになり、クラムシェル上部（４２）のいずれの端部でも取付けられ、後ろの屈曲点（７５）からクラムシェル上部（７２）の前に延長するＤリング（６１）を示す。これらの図は、すべての「屈曲」点（６３、６４、６５）および「連結点」（６６）と同様にＧリング（６２）の形状も示す。それは、サムラッチ（６８）、その「屈曲点」（７０）、「クラムシェル」下部（７３）に関連して、閉じられると上のクラムシェル（７２）が挿入されるその「リップ」（６９）を含む。閉位置（図１４Ｂ）において重なる、および、開位置（図１４Ａ）において重ならない、それが閉じられて固定される紐材の挿入を可能にするための歯（７４）も示される。
【００８５】
容器ホルダの一実施態様は、［図１Ａから８Ｂ］において示される。［図２Ａから３Ｂ］は、その対向する端部は固いが可撓性のあるホルダ・バンドの目のブラケット（３１）である連結棒（４４）で構成される単一の構造としてホルダを示す。バンドは、それらが保持する容器を囲む［図１Ａ］。ホルダを生成するために用いる材料および容器の材料によって、ホルダ・バンドの内部面はホルダ内で容器を保持するために十分な摩擦を生成するため、粗い生地で覆われる、または、粗い生地であってもよい［図８Ｂ］。代替的に、例えばこの実施態様［図１Ｂおよび８Ａ］に示されるように、内側の保持バンド（３４）は、ホルダ内で容器を保持するために十分な摩擦および圧力を生成するため、ホルダ・バンドと容器との間に挟まれる。容器の直径、および、内側の保持バンド（３４）の追加のまたは可変の厚さの調整を可能にするため、ホルダ・バンドは、バンドおよび／または容器の収縮および膨張を可能にするため、各々のバンド（４３）上の１つの場所でクロスカットされる。容器周辺でおよび容器に対してホルダ・バンドの追加の収縮圧力を生成するため、外側の保持バンド（３３）は、ホルダ・バンドの外側の外周周辺に取付けられる。特定の用途において、バンドが、容器に連結されるホースまたはその他の装置の追加の連結点として使われる。通信するため、または、それが保持される意図を有する容器の寸法によって予め定められる様にホルダ・バンド（３１）間の距離をあらかじめ決めるため、接続バー（４４）は利用されても利用されなくてもよい（図２Ｅ）。
【００８６】
ホスト装置またはユーザへのホルダの取付けは、多数の締結具の使用によるものである。複数の締結具（３６、３７、３８）は、ホルダおよび容器を取付けて、その可動性を制御するために組み込まれる。様々な締結具が使われるが、意図された使用、および、ホスト装置の設計またはユーザへの連結点によって、［図１ＡおよびＢ］で図示した実施態様は一例として、締結具の別の実施態様：締結具「Ａ」（３６）および締結具「Ｂ２」（３７）を示す。あるいは、［図１Ｄ］は、締結具「Ａ」（３６）およびＢ１（３７）を示す。
【００８７】
［図５Ａ］および［図６ＡからＣ］は、締結具「Ａ」（３６）が可撓性の締結具ストラップ（３５）によってどのようにホルダに連結されるかを詳細に示す。ストラップは、目のブラケット（３１）の間で挿入され、ストラップ・ボルト開放ヘッド（４１）およびストラップ・ボルト・ナット（４２）によって適所に保持されるストラップ・ボルト（４０）周辺で、ホルダへの取付けの点で環状にされる。締結具「Ａ」（３６）を容器ホルダに連結するストラップの対向する端部で、ストラップは、締結具「Ａ」（３６）のストラップ・アジャスタ（５３）要素に直接供給される。これは、空間（５４）を通じて、および、各々の締結具「Ａ」（３６）の各々のストラップ・アジャスタ（５３）要素のクロスバー（５５）の上で締結具ストラップ（３５）を貫くことによって達成される［図１２ＡからＦ］。
【００８８】
利用される場合、締結具「Ｂ１」（３７）または「Ｂ２」（３８）は、一変更態様において締結具「Ａ」（３６）と同様に容器ホルダ（３１）に取付けられる。締結具ストラップ（３５）と締結具「Ｂ１」（３７）または「Ｂ２」（３８）との間で挿入されるのは、解放バックル（３９）である。［図５ＢおよびＣ］は締結具ストラップ（３５）とそれぞれの締結具との間の取付けの方法を詳述するものである。ストラップ（３５）は、締結具「Ｂ１」または「Ｂ２」のいずれかが連結される解放バックルの雌（４６）の構成要素に挿入される解放バックル雄の構成要素（４５）の適切な場所に貫通される。
【００８９】
［図７Ａから７Ｆ］は、連結されるおよび分離される両方の構成の解放バックルの雄（４５）および雌（４６）の構成要素を詳述するものである。
【００９０】
動作：固い容器ホルダの実施態様［図１Ａから８Ｂ］
固い実施態様を使用する１つの方法は一例として、スキューバダイバによる、緊急時のための予備のガス容器を保持する使用のため、または、彼自身の主なガス供給へのアクセスを失った苦しむダイバーを援助するためのものである。
【００９１】
この例では、ダイバーはホルダ内に圧縮ガスの容器を設置する。容器は様々なサイズにおいて利用できる：この用途には概して１３立方フィートまたは１９立方フィートである。第１段階のガス供給レギュレータは、容器の開閉バルブに取付けられる。ダイバーが容器の内部のガス圧をモニタすることができるように小さな圧力計もまた取付けられる。適切に配置されると、このゲージは、ホルダが取付けられて、使用中である一方で、ダイバー／ユーザによって読むことができる。ホースは、第１段階を第２段階のレギュレータ／マウスピースに連結し、そこからダイバーが呼吸する。前記ホースは、外側の保持バンド（３４）と容器を囲んでいるホルダ・バンド（３１）との間で巻きつけられて、挿入される。第２段階のレギュレータおよびマウスピースは、ストラップ・ボルト開放ヘッド（４１）で供給される割りリングに取付けられるマウスピース・ホルダを経てホルダに取付けられる。
【００９２】
この例の用途において、ホルダはダイバーの前胴に位置する。ダイバーによって着用される浮力制御ベストに、締結具「Ａ」（３６）はよく目にする「Ｄリング」に取付けられる。ユーザの胴と関連したホルダの高さは、締結具「Ａ」のストラップ・アジャスタ（５３）要素で貫通されるストラップによって調整される。ダイバーが立向姿勢にある場合、締結具「Ｂ」は、迅速な解放バックル（３９）により締結具ストラップ（３５）を経て連結されるホルダの下から延長する。どちらが使われても、締結具「Ｂ１」または「Ｂ２」は、接続バー（４４）の長さにほぼ等しい距離で切り離される場所でダイバーの浮力制御ベストのウエストライン・ベルトにまたがることによって連結する。
【００９３】
複数の接触点のため、ホルダおよび容器は、重力と関連した配向性に関係なくダイバーの胴の上の比較的固定された場所において留まる。ホルダがダイバーの前に位置することで、緊急時の使用は、予備のガス配置の伝統的なシステムと比較して非常に単純化される。ガスが無くなった場合には、ダイバーは第２段階のレギュレータを外側のバンドから単に引っ張り、口に挿入して、安全な上昇を開始する。苦しむダイバーがガス供給装置の使用を必要とする場合には、すぐ前に位置する苦しむダイバーにレギュレータを手渡すために同じプロセスが用いられる。レギュレータ・ホースは、それを外側の保持バンド（３３）の下から引っ張ることによって自動的に延長する。安定したならば、安全なダイバーはガス容器およびホルダ・システムを取り除き、妨げのない上昇を可能にするために苦しむダイバーにそれを配置する選択を有する。これは、ホルダの下部を解くために解放バックル（３９）をまず絞ることによって達成される。その後で、安全なダイバーは、苦しむダイバーにホルダ／容器システムの取付けを可能にするため、彼自身の「Ｄリング」連結点から締結具「Ａ」を分離する。締結具「Ｂ」は、それらが当面の意図が立向姿勢において浮上することである苦しむダイバーには必要でないので、安全なダイバーに留まったままである。
【００９４】
柔らかいホルダの実施態様［ 図９Ａから１１Ｄ ］
容器ホルダの一群の代替実施態様は、［図９Ａから１１Ｄ］において示される。［図９Ａ］は、いずれの端部にも取付けられ、可撓性の合成的または生地のような材料でできている連結スリーブ（４７）を囲む締結具ストラップ（３５）を組み込む一実施態様を示す。容器周辺で追加の収縮圧力を生成することが必要とされる場合、外側の保持バンド（３３）はスリーブ（４７）の外側の外周周辺で使用される。特定の用途において、バンドは、容器に連結されるホースまたはその他の装置のための追加の連結点として使われる。スリーブの長さ、および、伸縮性バンド間の距離は、ホルダが保持することを意図される容器の寸法によってあらかじめ決められる。
【００９５】
ホスト装置またはユーザへのホルダの取付けは、上記の固い実施態様に類似した複数の締結具の使用によるものであり、［図１から８Ａ］に示される。そこで、複数の締結具は、取付け、および、ユーザまたはホストに関するホルダおよび容器の可動性の制御のために用いられる。
【００９６】
さらに、柔らかい実施態様の構成に基づき、その適合性が意図された用途によって決定される様々な別の実施態様が考えられる。
【００９７】
一例として、［図１０ＣおよびＤ］は、外側の保持バンドを用いない柔らかい実施態様を示す。あるいは、［図１０ＥおよびＦ］は、スリーブなしで、外側の保持バンド（３３）を有する柔らかい実施態様を示す。あるいは、［図１０ＧおよびＨ］は、外側の保持バンド（３３）およびスリーブ（４７）を取り除き、締結具バンド（３５）のみの使用を組み込む柔らかい実施態様を示す。
【００９８】
追加の代替実施態様は、コネクタ・バンド（４８）が外側の保持バンドを用いて［図１１Ａ］、および、用いないで［図１１Ｃ］実施態様において利用される［図１１ＡおよびＣ］で示される。
【００９９】
動作：柔らかい実施態様：図９Ａから１１Ｄ
代替実施態様を使用する方法は一例では、ハイカー、バックパッカー、登山者またはサイクリストの飲料の容器を保持するためのものである。
【０１００】
柔らかい実施態様の有益な特質は多く、固い実施態様のすべての機能的な特質を保持する一方で、軽量であること、安価な製造費用、および、保管または輸送のためのサイズの圧縮性を含む。
【０１０１】
柔らかい実施態様の１つの例の用途は、相当な重量をバックパッカーの荷物の必要条件に加える飲料を担持するバックパッカーまたはハイカーである。飲料を担持して、より容易にアクセスされて前胴の領域で手が自由になり、全体の担持重量のより良好な分配を提供する。その優れた分配とともに重量の減少により、直立する以外の体勢にハイカーを配置する空間を登るまたは横断する一方で、容器可動性の制御が増加するにつれて、ハイカーの安全性は増加する。サイクリストは柔らかい実施態様から類似した利益を受け、そこで、自転車に取付けられる容器にアクセスして飲む「片手でのサイクリング」に対して、飲料は、手が自由に使えて即時のアクセスしやすさで、胴から容易に構成される。
【０１０２】
この柔らかい実施態様は、非常にコンパクトであり、使用しない場合の貯蔵可能な構成を含む、すべてのこれらの特質を提供する。
【０１０３】
複数の連結点および選択のため、ホルダおよび容器は、意図された目的のためにユーザに適した様々な場所において固定可能である。
【０１０４】
締結具「Ａ」［ 図１２Ａから１３Ｇ］
以下の記載において、特定の語が、簡潔さ、明確さ、および、理解のために使われるが、そのような単語がここで記載の目的のために使われ、広く解釈される意図を有するので、不必要な制限が従来の技術の必要条件を越えてそこから示されることはない。さらに、ここで示され記載されるシステムの実施態様は一例としてのみであり、本発明の範囲は、構造および使用の厳密な詳細に限定されない。多くの他の変種は、様々な実施態様の教示によって可能である。
【０１０５】
締結具「Ａ」の各々の実施態様は、連結要素（５１、５３）および、それら間の自由なまたは限定された関節（５２）で構成される。スナップ／クリップ／フック／ボルト・アセンブリ（５１）は、意図された使用または用途によって定められる様々な関節タイプ（５２）によりストラップ・コネクタ・アジャスタ（５３）に連結される。同様に、各々の構成要素が作成される材料は意図された使用によって決定され、金属、プラスチック、炭素、合成物または他のいかなる適切な材料にも限定されない。各々の要素のために選択される材料は同じであってもよいが、同じである必要はない。各々は、意図された使用によって必要とされる特別の品質のために選択される。
【０１０６】
締結具「Ａ」の第１の態様は、一般にユーザまたはホスト装置に対する取付けの位置であるスナップ／クリップ／フック／ボルト・アセンブリ（５１）である。このアセンブリは、意図された使用によって示されるようにいかなる適切な設計であってもよい。一例として、および、限定されるものではないが一般に使用されるタイプは、スライド・ボルト、スプリングクリップ、ピン・クリップ、および、バタフライ・スナップを含む。この実施態様は、「バタフライ・スライド・ボルト」（５１）の使用を組み込む。
【０１０７】
締結具「Ａ」の第２の態様は、可撓性のストラップが取付けられるストラップ・コネクタ・アジャスタ（５３）である。クロスバー（５５）の直線によって生成されるので、ストラップ・コネクタ・アジャスタ（５３）の空間（５４）は矩形である。可撓性のストラップは、空間（５４）および、クロスバー（５５）の上および／または下でそれを貫くことによって取付けられる［図４Ａおよび５Ａ］。クロスバー（５５）の形状およびストラップ・コネクタ・アジャスタ（５３）の残りの構造は、円形［図１２ＡからＣ］または矩形［図１２ＤからＦ］または他の所望の形を含む、タスクに適しているどのようなものであってもよい。
【０１０８】
慣習的に、空間（５４）は、紐材またはストラップの二倍の通過を収容するのに十分に大きい。直線のクロスバー（５５）および、空間（５４）の矩形の形状は、各々のクロスバー（５５）の全幅全体にストラップ負荷を分配する。これは摩耗およびずれを減らし、取付けの耐久性および安全性を増加させる。
【０１０９】
締結具「Ａ」の第３の態様は、スナップ／クリップ／フック／ボルト・アセンブリ（５１）と、ストラップ・コネクタ・アジャスタ（５３）との間の関節（５２）の位置である。前記関節は、装置の意図された使用によって示されるように、枢軸／回転軸［図１３Ａ、Ｂ、Ｄ、Ｅ］、であっても、揺動可能であっても［図１３Ｇ］、または、固定されても［図１３Ｃ］よい。
【０１１０】
動作：締結具「Ａ」［図１２Ａから１３Ｇ］
締結具「Ａ」を使用する以下の方法は一例を表すのみであり、意図された制限条件を有しない。
【０１１１】
締結具「Ａ」は、ストラップまたは紐がスナップ、クリップ、フックまたはボルトにどこに取付けられたとしても、信頼性および使用の単純性を増加させる。設計は、それが取付けられるストラップまたは紐材の摩耗および消耗を減少させる。それは、スナップ、クリップ、フックまたはボルトへのストラップの取付けおよび調整の容易さおよび安全性を増加させる。それは、別々のストラップ・アジャスタの購入および使用の必要性を取り除く。
【０１１２】
このタイプの締結具は、多くの場合、「目」と呼ばれている「Ｕ」型の取付け点を有する「ストラップ」端部で成端するスナップ装置を含むが、これに限定されるものではない。取付けられる材料がロープである場合、この「目」は申し分ない。けれども取付けられる材料が平らである、すなわち；ストラップまたは紐材である場合、紐材は「Ｕ」型の底で束ねられる。材料を束ねることは、衣服の摩耗および失敗の可能性を増やす。スナップ装置のストラップ材料の表面圧が均一に分配されないので、これは部分的に発生する。これは摩耗を増加し、信頼性を減少させるだけでなく、スナップ装置と関連してストラップを固定して調整して、そのずれ、不調整または解放を防ぐ第２の装置「ストラップ・アジャスタ」の使用を必要とする。ストラップ・アジャスタは、一般的な締結具設計の欠陥によって必要とされる別々の第２の装置である。それは、使用に追加のコストを必要とし、使用するのがより複雑であり、不調整およびずれが起こる傾向がある。
【０１１３】
この実施態様の動作は、出願人の設計の優位性を示す。ストラップへのその取付け点における締結具の設計は、以下の方法においてストラップまたは紐材の摩耗および応力負荷のために最適化される。
【０１１４】
まず、ストラップが締結具のすべての表面を上で均一にその負荷を分配することを保証することによって、平方インチ当たりの圧力はかなり減らされる。摩耗は、すべての表面全体に均一に分配される。
【０１１５】
次に、３つまたはそれ以上のクロスバー（５５）表面に負荷を分配することによって、平方インチ当たりの負荷は比例して減らされる。対照的にストラップ・アジャスタがスナップ装置から別々である場合、前記アジャスタは、ストラップの負荷の何も担持することができない、または、その負荷を直接スナップ装置へ移すのを助けることができない。この一般的な配置において、その作業は調整に限定され、負荷をストラップからスナップ装置まで移すことではない。そこにおいて、締結具「Ａ」のストラップ・アジャスタの材料強度は、ストラップ長さを調整するだけでなくて、すべてのストラップ負荷を締結具へ直接移すために作用する。
【０１１６】
締結具「Ｂ１」［図１４Ａから１４Ｆ］
締結具「Ｂ１」および「Ｂ２」の以下の記載において、特定の語が、簡潔さ、明確さ、および、理解のために使われるが、そのような単語がここで記載の目的のために使われ、広く解釈される意図を有するので、不必要な制限が従来の技術の必要条件を越えてそこから示されることはない。さらに、ここで示され記載されるシステムの実施態様は一例としてのみであり、本発明の範囲は、構造および使用の厳密な詳細に限定されない。多くの他の変種は、様々な実施態様の教示によって可能である。
【０１１７】
締結具「Ｂ１」は、［図１４Ａから１４Ｆ］に示されるようにこの出願において表される「Ｂ」の実施態様である。締結具「Ｂ１」は、フック、スナップ装置、クリップ、および、ボルト：Ｄ−リング（６１）、Ｇ−リング（６２）および紐材のための取付け；クラムシェル上部（７２）とクラムシェル下部（７３）間の空間、および、クラムシェルの各々の内部の側から突出する歯（７４）の複数の取付けの位置を有する。
【０１１８】
締結具「Ｂ１」は、クラムシェル（７２、７３）の上下の片方のそれぞれの歯（７４）の間で紐材が平らに置かれるまで、クラムシェル上部（７２）とサムラッチ（６８）との間の空間で、それを供給することによって容易に紐材に取付けられる。置かれたならば、以下の同時の動作を係合することによって、クラムシェルは閉じられる。サムラッチ（６８）は、親指の圧力をサムラッチの隆起（７１）に適用することによって押し下げられ、後方に引っ張られなければならない。クラムシェル上部（４２）の開放端リップがサムラッチ・リップ（６９）の下に位置するまで、ユーザは一緒に同時にクラムシェルの半分を絞らなければならない。［図１４Ａ］は、開位置の締結具「Ｂ１」を示す。［図１４Ｂ］は、閉位置の締結具「Ｂ１」を示す。締結具「Ｂ１」を開いて、紐材を解放するために、上記の手順は、逆転される。
【０１１９】
サムラッチ（６８）は、クラムシェル上部（７２）から延長するＤ−リング（６１）と、その上で湾曲するＧリング（６２）取付け点とを含むクラムシェル（７２、７３）の片側の間に位置するその基部から立ち上がる。サムラッチ（６８）は、３つの重要な機能を提供する：ａ）クラムシェルの閉鎖を容易にする；ｂ）クラムシェルの開きを容易にする；および、ｃ）不都合な状態下でＧリング（６２）の保護およびカバーを生成する。
【０１２０】
Ｄリング（６１）はホストの紐材の貫通方向に対して垂直に延長し、一般に使われる「Ｄリング」と類似した機能の役に立つ。半円の延長は、一般に設計されるスナップ装置の使用により、追加の装置の取付けを可能にする。
【０１２１】
Ｇリング（６２）も、ホストの紐材の貫通方向に対して垂直に延長する。一般に設計されるＤリングとは異なり、Ｇリング（６２）は、Ｄリングに取付けるためにスナップ装置に順番に取付けられなければならない紐材を通じて慣習的に取付けられるスナップ装置、バックル、スライド、滑走、ストラップ・アジャスタおよび類似した装置のユニークな直接の取付け点を提供する。Ｇリング（６２）のユニークな機能は前記スナップ装置の直接の取付けを提供するが、中間のストラップまたは追加の連結用ハードウェアを必要としない。すべての追加のストラップまたは連結装置は、潜在的な失敗点である。それはまた、経済的および複雑性の追加コストである。Ｇリングは、慣習的にストラップまたはウエブ専用の位置で直接の取付けを容易にすることによってそのようなものすべてを取り除く。
【０１２２】
Ｇリング（６２）は、文字「Ｇ」を逆さまにしたものとおよそ等しく延長し、クラムシェル（７３）下部から延長する結合形状を有する。それは、３つのＧリング屈曲点（６３、６４、６５）と、連結されるために適切に設計されたスナップ装置が通過する連結点（６６）とを含む。連結点の角（６７）は、ここで記載されるように、いかなる連結装置もの挿入および除去を容易にするために丸くされる。
【０１２３】
締結具内で紐材の挿入を収容し、紐材への固定した取付けを容易にするため、締結具「Ｂ１」の上下の歯（７４）の長さおよび幅は変化する。締結具「Ｂ」内の歯の別の実施態様は、意図された使用に準じて、挿入された紐材に沿った締結具「Ｂ」の動きまたは調整を容易にする。
【０１２４】
動作：締結具「Ｂ１」［図１４Ａから１４Ｆ］
締結具「Ｂ１」を使用する方法は、多数あり、様々である。「Ｄ」取付け点は、「Ｇ」取付け点を有してまたは有さず、およびその逆も同じ［図１８ＡおよびＢ］で、利用される。さらに、標準設計のスナップ装置は、締結具「Ｂ１」のＤリング取付け点に取付け可能である。
【０１２５】
Ｇリング取付け点を使用する方法は、多くの創造的な選択によって多様である。［図１７Ａから１７Ｅ］は、元々紐材に取付けるように設計されたが、代わりに締結具「Ｂ１」に直接取付けられた様々な標準のスナップ装置を示す。
【０１２６】
この実施態様において、迅速な解放の形状は設計の一部として示される。サイド解放バックルは、締結具「Ｂ１」のＧリングに取付けられる［図７Ａから７Ｆ］。［図５Ｂ］は、Ｇリング（６２）を経て雌の構成要素（４６）に直接取付けられる締結具「Ｂ１」（３７）を示す。サイド解放バックルの雄の構成要素（４５）は、ホルダから届く締結具ストラップ（３５）に取付けられる。使用において、この配置は、上に与えられる例示的な実施態様において、ユーザのウエストラインの紐材／ベルトから容器ホルダの即時の解放および除去を可能にする。
【０１２７】
Ｄリング（６１）およびＧリング（６２）の使用は、独立している。いくつかの装置は、同時に一緒に両方の取付け点を利用する。この二重使用の利用の一例は、巻きつけられた締め索を組み込み、一端が永続性のためにスナップ装置を経て「Ｄ」に取付けられ、締め索の対向する端部が両方ともツールまたはアクセサリ、および、サイド解放バックルの雄構成要素に取付けられ、雌の構成要素は直接Ｇリングに取付けられる。この構成は締結具からのツールの迅速な解放を可能にし、一方で、堅固に「Ｄ」にまだ取付けられる締め索は、ツール使用の間、伸長される。ツールはすぐに使うことができるが、落とした場合にも締め索を経たＤリングへの連続的な取付けにより失われない。
【０１２８】
締結具「Ｂ２」［図１５Ａから１５Ｇ］
締結具「Ｂ２」の用途は、それらがＤリング（６１）およびＧリング（６２）に関連するので、「Ｂ１」の上記のすべての態様において同一である。しかしながら、締結具「Ｂ２」は、締結具をホストのウエブまたはベルトに取付ける代わりの方法を提供する。ホストのウエブがクラムシェルの片方の間で供給される「Ｂ１」とは異なり、「Ｂ２」は、締結具の基部のプラットホーム全体にホスト紐材の「上、下、上」の貫通を組み込む。
【０１２９】
［図１５Ａから１５Ｅ］は、その上でＤリング（６１）が延長し、その一端にＧリング（６２）が取付けられる中心の支柱（８０）にブラケットをつける外側のフィンガー（８１）を示す。中心の支柱（８０）の対向した端部にあるのは、外側のフィンガーの屈曲点（８２）である。外側のフィンガー（８１）の対向した端部に位置するのは、外側のフィンガー挿入点（８３）である。空間は外側のフィンガー（８１）をＧリング（６２）から切り離し、紐材の挿入を可能にするので、各々の外側のフィンガー（８１）の上部を通じて届き、中心の支柱（８０）の下で延長する。中心の支柱（８０）は、下側に小さな歯（８４）を含む。ホストの紐材またはベルトが「上、下、上」の構成を用いて締結具を通じて貫通された場合、紐材に沿った動きを妨げるために、歯は追加のグリップを提供する。
【０１３０】
別の実施態様によって、歯は取り除くことができる。これは、意図された使用により必要とされる場合、紐材に沿った締結具の動きを容易にする。
【０１３１】
ここでの記載が多くの特性を含む一方、これらは、いかなる実施態様もの範囲の制限条件として解釈されるべきでなく、その別の実施態様の実例として解釈されるべきである。多くの他の分岐および変種は、様々な実施態様の教示によって可能である。
【０１３２】
動作：締結具「Ｂ２」［図１５Ａから１５Ｇ］
別の実施態様の締結具「Ｂ２」の動作は、ここで「Ｂ１」実施態様について記載したものと類似している。両方の実施態様は、意図された使用のニーズおよび必要条件によって示される以外の優先はなく、等しく適用可能である。
【０１３３】
追加の実施態様の概要
多くの他の変種は、各々が代替の一連の利点および予期される使用を提供するので、様々な実施態様の教示によって可能である。いくつかの実施態様は、極端な環境条件下でより大きな重量を収容するまたは信頼性を保持するためにより大きな構造上の強度を示す。他の実施態様は、より軽量、より柔軟な形状または他の重要な構成の選択を獲得するために構造上の強度を減らす。「ＡおよびＡ」、「ＢおよびＢ」または「ＡおよびＢ」と使用する締結具のタイプを変化させることによって、使用の種類、および、ホスト装置またはユーザへの取付け選択のタイプは非常に広がる。
【０１３４】
追加的な考慮は、ａ）容器の重量、ｂ）その内容の重量、ｃ）内容の粘度、ｄ）容器の内容がアクセスされる環境または特別なユーザの状態（例えば動いているユーザ）を含む。
【０１３５】
利点の概要
上記の各々の構成要素の各々の実施態様の記載および図表から多数の利点は、明白になる：
ホルダ；
ａ．異なるサイズおよび形状の容器を収容するために計測可能である；
ｂ．その用途の必要条件によって示されるように、最小限から非常に可撓性のある材料までそれが製造される構造および材料において順応性が高い；
ｃ．自然および合成的生地の種類と同様に金属、プラスチック、合成物、ゴム、炭素、複合物を含む広大な種類の材料から製造される；
ｄ．その固いおよび柔らかい実施態様において、故障する可能性があり、製造業者にとって高価である、ホルダ内で容器を保持するためのラッチ、バックルまたは他の装置を用いずに機能することができる；
ｅ．その柔らかい実施態様は、より軽量、製造費用の減少、様々な形状およびサイズへの容易な適応性、および、保管のためのコンパクトなサイズへのホルダを有する締結具の折り重なるまたは丸めることができる能力の利点を提供する；
ｆ．選択される締結具次第で、速い解放および移動の選択を有するおよび有さないで、重力と関連していかなる位置においても利用される。
２）締結具「Ａ」；
ａ．意図された使用のニーズおよび仕様に準じて、スナップ装置アセンブリの選択を提供する；
ｂ．計測可能で、スナップ装置アセンブリのすべての選択に組み込まれないストラップ・コネクタ・アジャスタを提供する；
ｃ．いかなる寸法も、サイズおよび負荷支圧強度にも計測可能である；
ｄ．「空間およびクロスバー」の数において計測可能である；
ｅ．全体に均等にまたは混合された組合せにおいて広大な種類の材料から製造される。
３） 締結具「Ｂ」；
ａ．いずれの実施例においても「Ｂ１」または「Ｂ２」は、必要に応じて「上および下」または「通して」単に貫通することにより使用場所でホスト紐材に設置可能であり、設置のためにウエブまたはストラップの分解および／または再組立てを必要としない；
ｂ．一体化されたＤリング取付け点は、容易な設置で標準Ｄリングのすべての利益を提供する；
ｃ．一体化されたＧリングは、いかなる中間のストラップ、ウエブまたは追加の取付け装置を必要とせずに広大な種類の標準およびカスタマイズされたスナップ装置の取付けの直接的な位置を提供する；
ｄ．意図された使用によって決定されるように、一体化されたＧリングおよびＤリング取付け点は独立してまたは共同で利用され、利用の機会を効果的に倍にする；
ｅ．実施態様「Ｂ１」のクラムシェル配置は、
ｉ．３つの機能：１）締結具内でホスト紐材を固定するためにクラムシェルの上半分を開くおよび２）閉じる、および、３）不都合な状態下でＧリング取付け点の保護カバーを生成する、を提供するためにサムラッチを組み込む；
ｉｉ．クラムシェル上部および底部の隣接する材料設計に準じてホスト紐材に強度および信頼性と、固定された取付けとを提供する；
ｆ．実施態様「Ｂ２」の上、下、上の配置は、ｉ．より単純かつ軽量であり、ｉｉ．厚さの大きく変わるホスト紐材に設置するのがより容易な設計を提供する。
【０１３６】
結論、分岐および範囲
したがって、多くの変種が様々な実施態様の教示によって可能であるということがわかる。各々が代替の一連の利点および予期される使用を提供する。いくつかの実施態様は、極端な環境におけるより大きな構造上の強度および有用性を示す。他の実施態様は、構成およびよりコンパクトな保管におけるより軽量、より柔軟な形状、より大きな選択を獲得する。同様に、締結具の構成は、容器ホルダ・システムが取付けられて、使用され、運ばれ、移動する取付けの使用の種類およびタイプを広げる。
【０１３７】
各々の構成要素の各々の実施態様；容器ホルダ、締結具「Ａ」および「Ｂ」によって、出願人は、単純かつ安価で、使うのが容易な容器および／または他のアクセサリを取付けて、使用して、配置するための、ホルダおよび締結具の設計の飛躍的な改良を提供する。
【０１３８】
上記の記載が多くの特性を含む一方、これらは、いかなる実施態様の範囲の制限条件として解釈されるべきでなく、それについて記載される実施態様の実例として解釈されるべきである。多くの他の分岐および変種は、様々な実施態様の教示によって可能である。したがって、本発明の範囲は、添付の請求の範囲およびそれらの法律的同等物によって決定されるべきであり、与えられた例により決定されるべきではない。
【符号の説明】
【０１３９】
３１  固いホルダ・バンドの目のブラケット
３２  柔らかいホルダ
３３  外側の保持バンド
３４  内側の保持バンド
３５  締結具ストラップ
３６  締結具Ａ
３７  締結具Ｂ１
３８  締結具Ｂ２
３９  解放バックルの雄および雌
４０  ストラップ・ボルト
４１  ストラップ・ボルト開放ヘッド
４２  ストラップ・ボルト・ナット
４３  膨張切断部
４４  接続バー
４５  解放バックルの雄
４６  解放バックルの雌
４７  スリーブ
４８  コネクタ・バンド
５１  スナップ／クリップ／ボルト・アセンブリ
５２  関節の点
５３  ストラップ・コネクタ・アジャスタ
５４  空間ストラップ挿入
５５  クロスバー・ストラップ保持
６１  Ｄリング
６２  Ｇリング
６３  Ｇリング屈曲点１
６４  Ｇリング屈曲点２
６５  Ｇリング屈曲点３
６６  Ｇリング連結点
６７  Ｇリング連結点の角
６８  サムラッチ
６９  サムラッチ・リップ
７０  サムラッチ屈曲点
７１  サムラッチ隆起
７２  クラムシェル上部
７３  クラムシェル下部
７４  歯
７５  後端屈曲点
７６  クラムシェル連結点
【図１Ａ】
0005811403.tif 000002
【図１Ｂ】
0005811403.tif 000003
【図１Ｃ−１Ｄ】
0005811403.tif 000004
【図１Ｅ】
0005811403.tif 000005
【図１Ｆ】
0005811403.tif 000006
【図１Ｇ】
0005811403.tif 000007
【図１Ｈ】
0005811403.tif 000008
【図２Ａ】
0005811403.tif 000009
【図２Ｂ】
0005811403.tif 000010
【図２Ｃ】
0005811403.tif 000011
【図２Ｄ】
0005811403.tif 000012
【図２Ｅ】
0005811403.tif 000013
【図３Ａ】
0005811403.tif 000014
【図３Ｂ】
0005811403.tif 000015
【図４Ａ】
0005811403.tif 000016
【図４Ｂ−４Ｃ】
0005811403.tif 000017
【図５Ａ】
0005811403.tif 000018
【図５Ｂ−５Ｃ】
0005811403.tif 000019
【図６Ａ】
0005811403.tif 000020
【図６Ｂ−６Ｃ】
0005811403.tif 000021
【図７Ａ】
0005811403.tif 000022
【図７Ｂ−７Ｃ】
0005811403.tif 000023
【図７Ｄ】
0005811403.tif 000024
【図７Ｅ−７Ｆ】
0005811403.tif 000025
【図８Ａ】
0005811403.tif 000026
【図８Ｂ】
0005811403.tif 000027
【図９Ａ】
0005811403.tif 000028
【図１０Ａ−１０Ｂ】
0005811403.tif 000029
【図１０Ｃ−１０Ｄ】
0005811403.tif 000030
【図１０Ｅ−１０Ｆ】
0005811403.tif 000031
【図１０Ｇ−１０Ｈ】
0005811403.tif 000032
【図１０Ｉ−１０Ｊ】
0005811403.tif 000033
【図１０Ｋ−１０Ｌ】
0005811403.tif 000034
【図１１Ａ−１１Ｂ】
0005811403.tif 000035
【図１１Ｃ−１１Ｄ】
0005811403.tif 000036
【図１２Ａ−１２Ｃ】
0005811403.tif 000037
【図１２Ｄ−１２Ｆ】
0005811403.tif 000038
【図１３Ａ−１３Ｂ】
0005811403.tif 000039
【図１３Ｃ−１３Ｄ】
0005811403.tif 000040
【図１３Ｅ−１３Ｇ】
0005811403.tif 000041
【図１４Ａ】
0005811403.tif 000042
【図１４Ｂ】
0005811403.tif 000043
【図１４Ｃ】
0005811403.tif 000044
【図１４Ｄ】
0005811403.tif 000045
【図１４Ｅ】
0005811403.tif 000046
【図１４Ｆ】
0005811403.tif 000047
【図１５Ａ】
0005811403.tif 000048
【図１５Ｂ】
0005811403.tif 000049
【図１５Ｃ】
0005811403.tif 000050
【図１５Ｄ】
0005811403.tif 000051
【図１５Ｅ】
0005811403.tif 000052
【図１５Ｆ】
0005811403.tif 000053
【図１５Ｇ】
0005811403.tif 000054
【図１６Ａ】
0005811403.tif 000055
【図１６Ｂ】
0005811403.tif 000056
【図１６Ｃ】
0005811403.tif 000057
【図１６Ｄ】
0005811403.tif 000058
【図１６Ｅ】
0005811403.tif 000059
【図１７Ａ】
0005811403.tif 000060
【図１７Ｂ】
0005811403.tif 000061
【図１７Ｃ】
0005811403.tif 000062
【図１７Ｄ】
0005811403.tif 000063
【図１７Ｅ】
0005811403.tif 000064
【図１８Ａ】
0005811403.tif 000065
【図１８Ｂ】
0005811403.tif 000066
【図１８Ｃ】
0005811403.tif 000067
【図１８Ｄ】
0005811403.tif 000068
【図１８Ｅ】
0005811403.tif 000069
【図１８Ｆ】
0005811403.tif 000070